(57)【要約】【課題】効率良く最適な記録ストラテジーを選択すること。【解決手段】光ディスク装置に搭載可能な半導体集積回路４は、モータ制御回路４７、レーザ制御回路４６、ピックアップ位置制御回路４５、信号検出回路４１、４２、制御ユニット４３、メモリ４４を具備している。制御ユニット４３は１つの標準初期ストラテジーから複数の初期ストラテジーを算出して、複数の初期ストラテジーに従って記録レーザパワーが変化されて光ディスク１に複数の評価データを記録する。信号検出回路４１、４２のデータ再生による複数の評価データに関して、制御ユニット４３が信号品質評価を実行する。この評価の結果に基づき、複数の初期ストラテジーの１つが調整開始ストラテジーとして選択され、それに基づき実記録に使用する最適記録ストラテジーが決定される。【選択図】図１
2010282695.tif 000002
【特許請求の範囲】
【請求項１】
モータ制御回路とレーザ制御回路とピックアップ位置制御回路と信号検出回路と制御ユニットとメモリとを具備して、光ディスク装置に搭載可能な半導体集積回路であって、
前記モータ制御回路は、前記制御ユニットからのモータ制御指示に応答して、前記光ディスク装置に装着される光ディスクを回転駆動するモータにモータ制御信号を供給可能とされたものであり、
前記レーザ制御回路は、前記制御ユニットからのレーザ制御指示に応答して、前記光ディスクの表面にデータ記録のレーザ光を照射するピックアップにレーザ制御信号を供給可能とされたものであり、
前記ピックアップ位置制御回路は、前記制御ユニットからの位置制御指示に応答して、前記ピックアップを前記光ディスクの径方向に移動させるための位置制御信号を前記ピックアップに供給可能とされたものであり、
前記信号検出回路は、前記光ディスクの前記表面の反射光を受光する前記ピックアップからのデータ再生の読み出し信号に応答する測定情報を前記制御ユニットに供給可能とされたものであり、
前記メモリは、前記制御ユニットのための情報を格納可能とされたものであり、
前記制御ユニットは１つの標準初期ストラテジーから複数の初期ストラテジーを算出可能とされたものであり、前記複数の初期ストラテジーに従って前記データ記録の際の前記レーザ光の記録レーザパワーが変化されて前記光ディスクに複数の評価データの記録が可能とされたものであり、
前記信号検出回路によって前記光ディスクからデータ再生された前記複数の評価データに関して、前記制御ユニットが信号品質の評価を実行可能とされたものであり、
前記制御ユニットは、前記信号品質の前記評価の結果に基づき、前記複数の初期ストラテジーの１つを調整開始ストラテジーとして選択可能とされたものであり、
前記制御ユニットは、前記調整開始ストラテジーに基づき前記光ディスクでの実記録に使用する最適記録ストラテジーを決定することを特徴とする半導体集積回路。
【請求項２】
前記最適記録ストラテジーは、前記調整開始ストラテジーそれ自体であることを特徴とする請求項１に記載の半導体集積回路。
【請求項３】
前記調整開始ストラテジーに従って前記光ディスクに記録されるマークの先端エッジまたは後端エッジのシフト量を変化させて他の評価データの記録と評価が可能とされたものであり、
前記制御ユニットは、前記他の評価データの前記記録と前記評価とによって、前記最適記録ストラテジーを決定することを特徴とする請求項１に記載の半導体集積回路。
【請求項４】
前記制御ユニットは前記１つの標準初期ストラテジーに従って前記光ディスクに記録されるマークの先端エッジまたは後端エッジのシフト量に所定量の加算または減算を実行して、前記制御ユニットは前記１つの標準初期ストラテジーから前記複数の初期ストラテジーを算出することを特徴とする請求項１に記載の半導体集積回路。
【請求項５】
前記制御ユニットは、前記光ディスクのディスク管理情報に記録された推奨ストラテジーを利用して、前記１つの標準初期ストラテジーを算出することを特徴とする請求項１に記載の半導体集積回路。
【請求項６】
前記半導体集積回路は、前記モータ制御回路と前記レーザ制御回路と前記ピックアップ位置制御回路と前記信号検出回路と前記制御ユニットと前記メモリの各半導体チップがパッケージ内部に内蔵されたシステムインパッケージまたはマルチチップモジュールの形態で構成されたことを特徴とする請求項１に記載の半導体集積回路。
【請求項７】
前記信号検出回路は複数の規格の光ディスクからのデータ再生の読み出しが可能とされることによって、前記半導体集積回路が搭載される前記光ディスク装置はマルチドライブ型光ディスク装置に構成可能とされたことを特徴とする請求項１乃至請求項６のいずれかに記載の半導体集積回路。
【請求項８】
前記制御ユニットは、前記メモリに格納されたソフトウェアによって前記モータ制御回路と前記レーザ制御回路と前記ピックアップ位置制御回路と前記信号検出回路の動作を制御するマイクロコントローラであることを特徴とするものである請求項７に記載の半導体集積回路。
【請求項９】
モータ制御回路とレーザ制御回路とピックアップ位置制御回路と信号検出回路と制御ユニットとメモリとを具備して、光ディスク装置に搭載可能な半導体集積回路の動作方法であって、
前記モータ制御回路は、前記制御ユニットからのモータ制御指示に応答して、前記光ディスク装置に装着される光ディスクを回転駆動するモータにモータ制御信号を供給可能とされたものであり、
前記レーザ制御回路は、前記制御ユニットからのレーザ制御指示に応答して、前記光ディスクの表面にデータ記録のレーザ光を照射するピックアップにレーザ制御信号を供給可能とされたものであり、
前記ピックアップ位置制御回路は、前記制御ユニットからの位置制御指示に応答して、前記ピックアップを前記光ディスクの径方向に移動させるための位置制御信号を前記ピックアップに供給可能とされたものであり、
前記信号検出回路は、前記光ディスクの前記表面の反射光を受光する前記ピックアップからのデータ再生の読み出し信号に応答する測定情報を前記制御ユニットに供給可能とされたものであり、
前記メモリは、前記制御ユニットのための情報を格納可能とされたものであり、
前記制御ユニットは１つの標準初期ストラテジーから複数の初期ストラテジーを算出可能とされたものであり、前記複数の初期ストラテジーに従って前記データ記録の際の前記レーザ光の記録レーザパワーが変化されて前記光ディスクに複数の評価データの記録が可能とされたものであり、
前記信号検出回路によって前記光ディスクからデータ再生された前記複数の評価データに関して、前記制御ユニットが信号品質の評価を実行可能とされたものであり、
前記制御ユニットは、前記信号品質の前記評価の結果に基づき、前記複数の初期ストラテジーの１つを調整開始ストラテジーとして選択可能とされたものであり、
前記制御ユニットは、前記調整開始ストラテジーに基づき前記光ディスクでの実記録に使用する最適記録ストラテジーを決定することを特徴とする半導体集積回路の動作方法。
【請求項１０】
前記最適記録ストラテジーは、前記調整開始ストラテジーそれ自体であることを特徴とする請求項９に記載の半導体集積回路の動作方法。
【請求項１１】
前記調整開始ストラテジーに従って前記光ディスクに記録されるマークの先端エッジまたは後端エッジのシフト量を変化させて他の評価データの記録と評価が可能とされたものであり、
前記制御ユニットは、前記他の評価データの前記記録と前記評価とによって、前記最適記録ストラテジーを決定することを特徴とする請求項９に記載の半導体集積回路の動作方法。
【請求項１２】
前記制御ユニットは前記１つの標準初期ストラテジーに従って前記光ディスクに記録されるマークの先端エッジまたは後端エッジのシフト量に所定量の加算または減算を実行して、前記制御ユニットは前記１つの標準初期ストラテジーから前記複数の初期ストラテジーを算出することを特徴とする請求項９に記載の半導体集積回路の動作方法。
【請求項１３】
前記制御ユニットは、前記光ディスクのディスク管理情報に記録された推奨ストラテジーを利用して、前記１つの標準初期ストラテジーを算出することを特徴とする請求項９に記載の半導体集積回路の動作方法。
【請求項１４】
前記半導体集積回路は、前記モータ制御回路と前記レーザ制御回路と前記ピックアップ位置制御回路と前記信号検出回路と前記制御ユニットと前記メモリの各半導体チップがパッケージ内部に内蔵されたシステムインパッケージまたはマルチチップモジュールの形態で構成されたことを特徴とする請求項９に記載の半導体集積回路の動作方法。
【請求項１５】
前記信号検出回路は複数の規格の光ディスクからのデータ再生の読み出しが可能とされることによって、前記半導体集積回路が搭載される前記光ディスク装置はマルチドライブ型光ディスク装置に構成可能とされたことを特徴とする請求項９乃至請求項１３のいずれかに記載の半導体集積回路の動作方法。
【請求項１６】
前記制御ユニットは、前記メモリに格納されたソフトウェアによって前記モータ制御回路と前記レーザ制御回路と前記ピックアップ位置制御回路と前記信号検出回路の動作を制御するマイクロコントローラであることを特徴とするものである請求項１５に記載の半導体集積回路の動作方法。
【請求項１７】
モータ制御回路とレーザ制御回路とピックアップ位置制御回路と信号検出回路と制御ユニットとメモリとを具備する光ディスク装置であって、
前記モータ制御回路は、前記制御ユニットからのモータ制御指示に応答して、前記光ディスク装置に装着される光ディスクを回転駆動するモータにモータ制御信号を供給可能とされたものであり、
前記レーザ制御回路は、前記制御ユニットからのレーザ制御指示に応答して、前記光ディスクの表面にデータ記録のレーザ光を照射するピックアップにレーザ制御信号を供給可能とされたものであり、
前記ピックアップ位置制御回路は、前記制御ユニットからの位置制御指示に応答して、前記ピックアップを前記光ディスクの径方向に移動させるための位置制御信号を前記ピックアップに供給可能とされたものであり、
前記信号検出回路は、前記光ディスクの前記表面の反射光を受光する前記ピックアップからのデータ再生の読み出し信号に応答する測定情報を前記制御ユニットに供給可能とされたものであり、
前記メモリは、前記制御ユニットのための情報を格納可能とされたものであり、
前記制御ユニットは１つの標準初期ストラテジーから複数の初期ストラテジーを算出可能とされたものであり、前記複数の初期ストラテジーに従って前記データ記録の際の前記レーザ光の記録レーザパワーが変化されて前記光ディスクに複数の評価データの記録が可能とされたものであり、
前記信号検出回路によって前記光ディスクからデータ再生された前記複数の評価データに関して、前記制御ユニットが信号品質の評価を実行可能とされたものであり、
前記制御ユニットは、前記信号品質の前記評価の結果に基づき、前記複数の初期ストラテジーの１つを調整開始ストラテジーとして選択可能とされたものであり、
前記制御ユニットは、前記調整開始ストラテジーに基づき前記光ディスクでの実記録に使用する最適記録ストラテジーを決定することを特徴とする光ディスク装置。
【請求項１８】
前記最適記録ストラテジーは、前記調整開始ストラテジーそれ自体であることを特徴とする請求項１７に記載の光ディスク装置。
【請求項１９】
前記調整開始ストラテジーに従って前記光ディスクに記録されるマークの先端エッジまたは後端エッジのシフト量を変化させて他の評価データの記録と評価が可能とされたものであり、
前記制御ユニットは、前記他の評価データの前記記録と前記評価とによって、前記最適記録ストラテジーを決定することを特徴とする請求項１７に記載の光ディスク装置。
【請求項２０】
前記制御ユニットは前記１つの標準初期ストラテジーに従って前記光ディスクに記録されるマークの先端エッジまたは後端エッジのシフト量に所定量の加算または減算を実行して、前記制御ユニットは前記１つの標準初期ストラテジーから前記複数の初期ストラテジーを算出することを特徴とする請求項１７に記載の光ディスク装置。
【請求項２１】
前記制御ユニットは、前記光ディスクのディスク管理情報に記録された推奨ストラテジーを利用して、前記１つの標準初期ストラテジーを算出することを特徴とする請求項１７に記載の光ディスク装置。
【請求項２２】
前記モータ制御回路と前記レーザ制御回路と前記ピックアップ位置制御回路と前記信号検出回路と前記制御ユニットと前記メモリの各半導体チップがパッケージ内部に内蔵されたシステムインパッケージまたはマルチチップモジュールの形態で構成されたことを特徴とする請求項１７に記載の光ディスク装置。
【請求項２３】
前記信号検出回路は複数の規格の光ディスクからのデータ再生の読み出しが可能とされることによって、前記光ディスク装置はマルチドライブ型光ディスク装置に構成可能とされたことを特徴とする請求項１７乃至請求項２２のいずれかに記載の光ディスク装置。
【請求項２４】
前記制御ユニットは、前記メモリに格納されたソフトウェアによって前記モータ制御回路と前記レーザ制御回路と前記ピックアップ位置制御回路と前記信号検出回路の動作を制御するマイクロコントローラであることを特徴とするものである請求項２３に記載の光ディスク装置。
【請求項２５】
モータ制御回路とレーザ制御回路とピックアップ位置制御回路と信号検出回路と制御ユニットとメモリとを具備する光ディスク装置の動作方法であって、
前記モータ制御回路は、前記制御ユニットからのモータ制御指示に応答して、前記光ディスク装置に装着される光ディスクを回転駆動するモータにモータ制御信号を供給可能とされたものであり、
前記レーザ制御回路は、前記制御ユニットからのレーザ制御指示に応答して、前記光ディスクの表面にデータ記録のレーザ光を照射するピックアップにレーザ制御信号を供給可能とされたものであり、
前記ピックアップ位置制御回路は、前記制御ユニットからの位置制御指示に応答して、前記ピックアップを前記光ディスクの径方向に移動させるための位置制御信号を前記ピックアップに供給可能とされたものであり、
前記信号検出回路は、前記光ディスクの前記表面の反射光を受光する前記ピックアップからのデータ再生の読み出し信号に応答する測定情報を前記制御ユニットに供給可能とされたものであり、
前記メモリは、前記制御ユニットのための情報を格納可能とされたものであり、
前記制御ユニットは１つの標準初期ストラテジーから複数の初期ストラテジーを算出可能とされたものであり、前記複数の初期ストラテジーに従って前記データ記録の際の前記レーザ光の記録レーザパワーが変化されて前記光ディスクに複数の評価データの記録が可能とされたものであり、
前記信号検出回路によって前記光ディスクからデータ再生された前記複数の評価データに関して、前記制御ユニットが信号品質の評価を実行可能とされたものであり、
前記制御ユニットは、前記信号品質の前記評価の結果に基づき、前記複数の初期ストラテジーの１つを調整開始ストラテジーとして選択可能とされたものであり、
前記制御ユニットは、前記調整開始ストラテジーに基づき前記光ディスクでの実記録に使用する最適記録ストラテジーを決定することを特徴とする光ディスク装置の動作方法。
【請求項２６】
前記最適記録ストラテジーは、前記調整開始ストラテジーそれ自体であることを特徴とする請求項２５に記載の光ディスク装置の動作方法。
【請求項２７】
前記調整開始ストラテジーに従って前記光ディスクに記録されるマークの先端エッジまたは後端エッジのシフト量を変化させて他の評価データの記録と評価が可能とされたものであり、
前記制御ユニットは、前記他の評価データの前記記録と前記評価とによって、前記最適記録ストラテジーを決定することを特徴とする請求項２５に記載の光ディスク装置の動作方法。
【請求項２８】
前記制御ユニットは前記１つの標準初期ストラテジーに従って前記光ディスクに記録されるマークの先端エッジまたは後端エッジのシフト量に所定量の加算または減算を実行して、前記制御ユニットは前記１つの標準初期ストラテジーから前記複数の初期ストラテジーを算出することを特徴とする請求項２５に記載の光ディスク装置の動作方法。
【請求項２９】
前記制御ユニットは、前記光ディスクのディスク管理情報に記録された推奨ストラテジーを利用して、前記１つの標準初期ストラテジーを算出することを特徴とする請求項２５に記載の光ディスク装置の動作方法。
【請求項３０】
前記モータ制御回路と前記レーザ制御回路と前記ピックアップ位置制御回路と前記信号検出回路と前記制御ユニットと前記メモリの各半導体チップがパッケージ内部に内蔵されたシステムインパッケージまたはマルチチップモジュールの形態で構成されたことを特徴とする請求項２５に記載の光ディスク装置の動作方法。
【請求項３１】
前記信号検出回路は複数の規格の光ディスクからのデータ再生の読み出しが可能とされることによって、前記光ディスク装置はマルチドライブ型光ディスク装置に構成可能とされたことを特徴とする請求項２５乃至請求項３０のいずれかに記載の光ディスク装置の動作方法。
【請求項３２】
前記制御ユニットは、前記メモリに格納されたソフトウェアによって前記モータ制御回路と前記レーザ制御回路と前記ピックアップ位置制御回路と前記信号検出回路の動作を制御するマイクロコントローラであることを特徴とするものである請求項３１に記載の光ディスク装置の動作方法。
【発明の詳細な説明】
【技術分野】
【０００１】
本発明は、光ディスク装置に搭載可能な半導体集積回路およびその動作方法、光ディスク装置およびその動作方法に関し、特に効率良く最適な記録ストラテジーを選択するのに有効な技術に関するものである。
【背景技術】
【０００２】
現在市販されているＤＶＤ−Ｒ(ＤＶＤ−Ｒｅｃｏｒｄａｂｌｅ)、ＤＶＤ−ＲＷ(ＤＶＤ−Ｒｅ−ｒｅｃｏｒｄａｂｌｅ)等の書き込みまたは書き換え可能な光ディスクでは、ディスクの記録面の上にレーザ光が照射されることによって光記憶媒体に熱変化が発生して情報が記録される。また記録すべき情報に応じた時間幅を有する記録パルスによってレーザ光が変調され、記録すべき情報に応じた長さの記録マークが光ディスク上に形成される。
【０００３】
一方、下記特許文献１に記載されたように１つの記録マークを１つのレーザパルスで形成するのではなく、複数の短いパルス(マルチパルス)を含むパルス列によって記録マークを形成するレーザパワーの制御手法が利用される。この手法は、ライトストラテジー(記録ストラテジー)と呼ばれ、単一の記録パルスを照射する方法と比較して、光ディスクの記録面上の熱蓄積が減少するので、記録マークが形成される記録面上の温度分布を均一化でき、記録マークが涙液形状となることが防止され、好ましい形状の記録マークが形成されることができる。
【０００４】
しかし、マルチパルスによる記録ストラテジーには、通常速度では問題ないが、高速記録時にはオーバーシュートおよびアンダーシュートによってパルスの振幅が変化して光ディスクの熱量が正確に制御できなくなり適切な形状の記録マークを記録できないと言う問題がある。この問題を解決するために、下記特許文献１には、光ディスクの記録面を予熱するトップパルスと記録すべきマークの長さに応じて時間幅が変化する中間バイアス部と記録マークの後端部の形状を調整するラストパルスを含む記録パルスを使用する別の方式の記録ストラテジーが記載されている。更に、この別の方式の記録ストラテジーでは、記録すべきマークの前後のスペース長の変化による記録時の熱的干渉と再生時の光学的干渉とを考慮して、トップパルスおよびラストパルスの位置およびパルス幅が記録すべきマークの直前および直後のスペース長に応じて変化される。トップパルスと中間バイアス部とラストパルスとを含む独特の形状の記録パルスを使用する別の方式の記録ストラテジーは、キャッスル型の記録ストラテジーと呼ばれている。
【０００５】
以上説明したように、光ディスク装置においては、少なくとも１つの所定の記録ストラテジーでの最適な記録パワーの記録パルスを生成できるように構成されている。しかし、光ディスク装置自体の性能上のばらつきや光ディスク装置に装着される多種の光ディスクのばらつき等によって、記録パルスの最適記録パルスタイミング位置がばらつくことものとなる。
【０００６】
このように装着された光ディスクに対して光ディスク装置の記録パルスタイミング位置等の記録ストラテジーが適切でない場合には、光ディスクに記録される記録マークのマーク長やエッジ位置が適正でなくなり、ジッタ特性やエラーレート等の再生品質が悪化する。このために、従来から記録ストラテジーを最適化する技術の検討が行われている。例えば、下記特許文献２や下記特許文献３には、光ディスクに情報を記録するための記録ストラテジーを最適化する技術が記載されている。
【０００７】
まず、下記特許文献２には、１つのディスク製造業者ＩＤ当り複数の異なる記録ストラテジーを記憶手段に記憶して、装着された光ディスクのディスク製造業者ＩＤに対応した記録ストラテジーのうちの１つを、記憶された複数の記録ストラテジーの中から読み出して、読み出した記録ストラテジーによる記録テストを行い、このテストの結果から記録パワーの適否を判別して、その判別結果に基づき記録のための記録ストラテジーを設定することが、記載されている。記録パワーの判別の結果、記録パワーが適切である場合には記録ストラテジーを記録用として設定して、記録パワーが適切でない場合には、複数の記録ストラテジーの中の他の記録ストラテジーを記憶手段から読み出して記録テストを行って、記録パワーの適否を判別して、適切な記録パワーが得られる記録ストラテジーを設定するものである。
【０００８】
また下記特許文献３には、システムコントローラが光ディスクのテストエリアを使用して種々の記録ストラテジーでテストデータの試し書きを実行して、テストデータの再生信号品質を評価することで最適な記録ストラテジーを選択することが記載されている。システムコントローラは、各記録ストラテジー毎のエラーレート最小値Ｅｂ、しきいエラーレートが得られる記録パワー範囲Ｗｅ、目標β値が得られる記録パワーＰｍｂと最小エラーレートが得られる記録パワーＰｅｂとの相違に応じて、Ｈｓｔ＝Ａ・Ｅｂ2 ＋Ｂ・Ｗｅ2 ＋Ｃ・(Ｐｅｂ−Ｐｍｂ)2 によって評価値Ｈｓｔを算出して、最小のＨｓｔが得られる記録ストラテジーを最適記録ストラテジーとするものである。
【先行技術文献】
【特許文献】
【０００９】
【特許文献１】特開２００３−８５７５３号  公報
【特許文献２】特開２００５−２２８４１８号  公報
【特許文献３】特開２００７−２８７２２９号  公報
【発明の概要】
【発明が解決しようとする課題】
【００１０】
本発明者等は本発明に先立って、ＣＤ(Ｃｏｍｐａｃｔ Ｄｉｓｃ)、ＤＶＤ(Ｄｉｇｉｔａｌ Ｖｅｒｓａｔｉｌｅ Ｄｉｓｃ)、ＢＤ(Ｂｌｕ−ｒａｙ Ｄｉｓｃ)等の複数の規格の光ディスクの記録を可能とするマルチドライブ型光ディスク装置に搭載される信号処理用の大規模半導体集積回路(ＬＳＩ：Large Scale Integrated circuits)の研究・開発に従事した。この研究・開発の当初において、本発明者等は上記特許文献２と上記特許文献３に記載された背景技術について検討を行った。その検討の結果、上記特許文献２と上記特許文献３に記載された技術には、下記のような問題があることが明らかとされた。
【００１１】
すなわち、上記特許文献２に記載の技術では、１つのディスク製造業者ＩＤ当り複数の異なる記録ストラテジーを記憶手段に記憶する必要があり、ディスクの製造業者が増加すると記憶手段の使用記憶部分が増大するので、光ディスク装置に搭載される不揮発性メモリのメモリ容量が不足する可能性が有る。
【００１２】
また上記特許文献３に記載の技術では、種々の記録ストラテジーで試し書きした後、各記録ストラテジーでの再生信号品質評価および記録パワー範囲の大きさを算出する必要がある。従って、最適な記録ストラテジーを選択するには、できるだけ多くの記録ストラテジーを用意して、かつ再生信号品質評価およびパワー範囲の算出を全ての記録ストラテジーで実行する必要が有るので、選択時間が長期化する可能性が有る。
【００１３】
本発明は、以上のような本発明に先立った本発明者等による検討の結果、なされたものである。
【００１４】
従って、本発明の目的とするところは、効率良く最適な記録ストラテジーを選択することにある。
【００１５】
本発明の前記ならびにその他の目的と新規な特徴は、本明細書の記述および添付図面から明らかになるであろう。
【課題を解決するための手段】
【００１６】
本願において開示される発明のうちの代表的なものについて簡単に説明すれば下記のとおりである。
【００１７】
すなわち、本発明の代表的な実施の形態は、モータ制御回路(４７)、レーザ制御回路(４６)、ピックアップ位置制御回路(４５)、信号検出回路(４１、４２)、制御ユニット(４３)、メモリ(４４)を具備し、光ディスク装置に搭載可能な半導体集積回路(４)である。
【００１８】
前記モータ制御回路(４７)は、前記制御ユニット(４３)の指示に応答して光ディスク(１)を回転駆動するモータ(２)にモータ制御信号(Ｓ０１)を供給する。
【００１９】
前記レーザ制御回路(４６)は、前記制御ユニット(４３)の指示に応答して前記光ディスク(１)にデータ記録のレーザ光を照射するピックアップ(３)にレーザ制御信号(Ｓ０３)を供給する。
【００２０】
前記ピックアップ位置制御回路(４５)は、前記制御ユニット(４３)の指示に応答して前記ピックアップ(３)を移動させる位置制御信号(Ｓ０２)を前記ピックアップ(３)に供給する。
【００２１】
前記信号検出回路(４１、４２)は、前記ピックアップ(３)のデータ再生の読み出し信号(Ｓ０４)に応答する測定情報(Ｓ０６)を前記制御ユニット(４３)に供給する。
【００２２】
前記メモリ(４４)は、前記制御ユニット(４３)の情報を格納する(図１参照)。
【００２３】
前記制御ユニット(４３)は１つの標準初期ストラテジーから複数の初期ストラテジーを算出して(図３：Ｆ０２０３)、前記複数の初期ストラテジーに従って前記データ記録の際の前記レーザ光の記録レーザパワーが変化されて前記光ディスク(１)に複数の評価データを記録する(図３：Ｆ０２０４)。
【００２４】
前記信号検出回路(４１、４２)による前記光ディスク(１)のデータ再生の前記複数の評価データに関して、前記制御ユニット(４３)が信号品質の評価を実行する(図３：Ｆ０２０４)。
【００２５】
前記制御ユニット(４３)は、前記信号品質の前記評価の結果に基づき、前記複数の初期ストラテジーの１つを調整開始ストラテジーとして選択する(図３：Ｆ０２０６)。
【００２６】
前記制御ユニット(４３)は、前記調整開始ストラテジーに基づき前記光ディスク(１)での実記録に使用する最適記録ストラテジーを決定することを特徴とするものである(図２：Ｆ０５)。
【発明の効果】
【００２７】
本願において開示される発明のうち代表的なものによって得られる効果を簡単に説明すれば下記の通りである。
【００２８】
すなわち、本発明によれば、効率良く最適な記録ストラテジーを選択することができる。
【図面の簡単な説明】
【００２９】
【図１】図１は、本発明の実施の形態１による光ディスク装置の構成を示す図である。
【図２】図２は、図１に示した本発明の実施の形態１と形態２とによる光ディスク装置において記録ストラテジー調整を実行する場合の動作フローを示す図である。
【図３】図３は、図２に示した本発明の実施の形態１と形態２とによる記録ストラテジー調整の動作フローの調整開始ストラテジー選択(粗調整)のステップＦ０２の処理における調整開始ストラテジー選択開始から終了までのフローを示す図である。
【図４】図４は、図３に示した本発明の実施の形態１による調整開始ストラテジー選択(粗調整)のステップＦ０２のステップＦ０２０４の信号品質評価を説明する図である。
【図５】図５は、図２に示した本発明の実施の形態１による記録ストラテジー調整の動作フローのステップＦ０３の記録ストラテジー最適化(微調整)を説明する図である。
【図６】図６は、図２に示した本発明の実施の形態１による記録ストラテジー調整の動作フローのステップＦ０５のターゲットベータ調整を説明する図である。
【図７】図７は、図３に示した本発明の実施の形態１による調整開始ストラテジー選択(粗調整)のステップＦ０２に含まれるステップＦ０２０３の初期ストラテジー選択で選択される初期ストラテジーの例を示す図である。
【図８】図８も、図３に示した本発明の実施の形態１による調整開始ストラテジー選択(粗調整)のステップＦ０２に含まれるステップＦ０２０３の初期ストラテジー選択で選択される初期ストラテジーの例を示す図である。
【図９】図９は、本発明の実施の形態２による光ディスク装置の構成を示す図である。
【図１０】図１０は、本発明の実施の形態２の場合の図３の調整開始ストラテジー選択(粗調整)のステップＦ０２の動作フローのステップＦ０２０４の信号品質評価を説明する図である。
【図１１】図１１は、本発明の実施の形態２の場合における図２の記録ストラテジー調整の記録ストラテジー最適化(微調整)のステップＦ０３の動作フローを説明する図である。
【図１２】図１２は、本発明の実施の形態２の場合における図２の記録ストラテジー調整のターゲットベータ調整のステップＦ０５の動作フローを説明する図である。
【図１３】図１３は、図１に示した本発明の実施の形態１による光ディスク装置で実行されるマルチパルス型の記録ストラテジーとキャッスル型の記録ストラテジーとにおけるエッジシフト量の概要を示す図である。
【図１４】図１４は、本発明の実施の形態１による図１の光ディスク装置もしくは本発明の実施の形態２による図９の光ディスク装置において本発明の実施の形態３の記録ストラテジー調整を行う場合の動作フローを示す図である。
【図１５】図１５は、本発明の実施の形態１による図１の光ディスク装置もしくは本発明の実施の形態２による図９の光ディスク装置において本発明の実施の形態４の記録ストラテジー調整を行う場合の動作フローを示す図である。
【図１６】図１６は、本発明の実施の形態１による図１の光ディスク装置もしくは本発明の実施の形態２による図９の光ディスク装置において本発明の実施の形態５の記録ストラテジー調整を行う場合の動作フローを示す図である。
【発明を実施するための形態】
【００３０】
１．実施の形態の概要
まず、本願において開示される発明の代表的な実施の形態について概要を説明する。代表的な実施の形態についての概要説明で括弧を付して参照する図面の参照符号はそれが付された構成要素の概念に含まれるものを例示するに過ぎない。
【００３１】
〔１〕本発明の代表的な実施の形態は、モータ制御回路(４７)とレーザ制御回路(４６)とピックアップ位置制御回路(４５)と信号検出回路(４１、４２)と制御ユニット(４３)とメモリ(４４)とを具備して、光ディスク装置に搭載可能な半導体集積回路(４)である。
【００３２】
前記モータ制御回路(４７)は、前記制御ユニット(４３)からのモータ制御指示(Ｓ０９)に応答して、前記光ディスク装置に装着される光ディスク(１)を回転駆動するモータ(２)にモータ制御信号(Ｓ０１)を供給可能とされたものである。
【００３３】
前記レーザ制御回路(４６)は、前記制御ユニット(４３)からのレーザ制御指示(Ｓ０８)に応答して、前記光ディスク(１)の表面にデータ記録のレーザ光を照射するピックアップ(３)にレーザ制御信号(Ｓ０３)を供給可能とされたものである。
【００３４】
前記ピックアップ位置制御回路(４５)は、前記制御ユニット(４３)からの位置制御指示(Ｓ０７)に応答して、前記ピックアップ(３)を前記光ディスク(１)の径方向に移動させるための位置制御信号(Ｓ０２)を前記ピックアップ(３)に供給可能とされたものである。
【００３５】
前記信号検出回路(４１、４２)は、前記光ディスク(１)の前記表面の反射光を受光する前記ピックアップ(３)からのデータ再生の読み出し信号(Ｓ０４)に応答する測定情報(Ｓ０６)を前記制御ユニット(４３)に供給可能とされたものである。
【００３６】
前記メモリ(４４)は、前記制御ユニット(４３)のための情報を格納可能とされたものである(図１参照)。
【００３７】
前記制御ユニット(４３)は１つの標準初期ストラテジーから複数の初期ストラテジーを算出可能とされたものであり(図３：Ｆ０２０３)、前記複数の初期ストラテジーに従って前記データ記録の際の前記レーザ光の記録レーザパワーが変化されて前記光ディスク(１)に複数の評価データの記録が可能とされたものである(図３：Ｆ０２０４)。
【００３８】
前記信号検出回路(４１、４２)によって前記光ディスク(１)からデータ再生された前記複数の評価データに関して、前記制御ユニット(４３)が信号品質の評価を実行可能とされたものである(図３：Ｆ０２０４)。
【００３９】
前記制御ユニット(４３)は、前記信号品質の前記評価の結果に基づき、前記複数の初期ストラテジーの１つを調整開始ストラテジーとして選択可能とされたものである(図３：Ｆ０２０６)。
【００４０】
前記制御ユニット(４３)は、前記調整開始ストラテジーに基づき前記光ディスク(１)での実記録に使用する最適記録ストラテジーを決定することを特徴とするものである(図２：Ｆ０５)。
【００４１】
前記実施の形態によれば、効率良く最適な記録ストラテジーを選択することができる。
【００４２】
好適な実施の形態では、前記最適記録ストラテジーは、前記調整開始ストラテジーそれ自体であることを特徴とするものである(図１６参照)。
【００４３】
他の好適な実施の形態では、前記調整開始ストラテジーに従って前記光ディスク(１)に記録されるマークの先端エッジまたは後端エッジのシフト量を変化させて他の評価データの記録と評価が可能とされたものである(図２：Ｆ０３)。
【００４４】
前記制御ユニット(４３)は、前記他の評価データの前記記録と前記評価とによって、前記最適記録ストラテジーを決定することを特徴とするものである(図１５参照)。
【００４５】
より好適な実施の形態は、前記制御ユニット(４３)は前記１つの標準初期ストラテジーに従って前記光ディスク(１)に記録されるマークの先端エッジまたは後端エッジのシフト量に所定量の加算または減算を実行して、前記制御ユニット(４３)は前記１つの標準初期ストラテジーから前記複数の初期ストラテジーを算出することを特徴とするものである(図３：Ｆ０２０３)。
【００４６】
他のより好適な実施の形態では、前記制御ユニット(４３)は、前記光ディスク(１)のディスク管理情報に記録された推奨ストラテジーを利用して、前記１つの標準初期ストラテジーを算出することを特徴とするものである。
【００４７】
具体的な実施の形態は、前記半導体集積回路(４)は、前記モータ制御回路(４７)と前記レーザ制御回路(４６)と前記ピックアップ位置制御回路(４５)と前記信号検出回路(４１、４２)と前記制御ユニット(４３)と前記メモリ(４４)の各半導体チップがパッケージ内部に内蔵されたシステムインパッケージ(ＳＩＰ)またはマルチチップモジュール(ＭＣＭ)の形態で構成されたことを特徴とするものである。
【００４８】
より具体的な実施の形態では、前記信号検出回路(４１、４２)は複数の規格の光ディスク(１)からのデータ再生の読み出しが可能とされることによって、前記半導体集積回路(４)が搭載される前記光ディスク装置はマルチドライブ型光ディスク装置に構成可能とされたことを特徴とするものである。
【００４９】
最も具体的な実施の形態では、前記制御ユニット(４３)は、前記メモリ(４４)に格納されたソフトウェアによって前記モータ制御回路(４７)と前記レーザ制御回路(４６)と前記ピックアップ位置制御回路(４５)と前記信号検出回路(４１、４２)の動作を制御するマイクロコントローラであることを特徴とするものである。
【００５０】
〔２〕本発明の別の観点の代表的な実施の形態は、モータ制御回路(４７)とレーザ制御回路(４６)とピックアップ位置制御回路(４５)と信号検出回路(４１、４２)と制御ユニット(４３)とメモリ(４４)とを具備して、光ディスク装置に搭載可能な半導体集積回路(４)の動作方法である。
【００５１】
前記モータ制御回路(４７)は、前記制御ユニット(４３)からのモータ制御指示(Ｓ０９)に応答して、前記光ディスク装置に装着される光ディスク(１)を回転駆動するモータ(２)にモータ制御信号(Ｓ０１)を供給可能とされたものである。
【００５２】
前記レーザ制御回路(４６)は、前記制御ユニット(４３)からのレーザ制御指示(Ｓ０８)に応答して、前記光ディスク(１)の表面にデータ記録のレーザ光を照射するピックアップ(３)にレーザ制御信号(Ｓ０３)を供給可能とされたものである。
【００５３】
前記ピックアップ位置制御回路(４５)は、前記制御ユニット(４３)からの位置制御指示(Ｓ０７)に応答して、前記ピックアップ(３)を前記光ディスク(１)の径方向に移動させるための位置制御信号(Ｓ０２)を前記ピックアップ(３)に供給可能とされたものである。
【００５４】
前記信号検出回路(４１、４２)は、前記光ディスク(１)の前記表面の反射光を受光する前記ピックアップ(３)からのデータ再生の読み出し信号(Ｓ０４)に応答する測定情報(Ｓ０６)を前記制御ユニット(４３)に供給可能とされたものである
前記メモリ(４４)は、前記制御ユニット(４３)のための情報を格納可能とされたものである(図１参照)。
【００５５】
前記制御ユニット(４３)は１つの標準初期ストラテジーから複数の初期ストラテジーを算出可能とされたものであり(図３：Ｆ０２０３)、前記複数の初期ストラテジーに従って前記データ記録の際の前記レーザ光の記録レーザパワーが変化されて前記光ディスク(１)に複数の評価データの記録が可能とされたものである(図３：Ｆ０２０４)。
【００５６】
前記信号検出回路(４１、４２)によって前記光ディスク(１)からデータ再生された前記複数の評価データに関して、前記制御ユニット(４３)が信号品質の評価を実行可能とされたものである(図３：Ｆ０２０４)。
【００５７】
前記制御ユニット(４３)は、前記信号品質の前記評価の結果に基づき、前記複数の初期ストラテジーの１つを調整開始ストラテジーとして選択可能とされたものである(図３：Ｆ０２０６)。
【００５８】
前記制御ユニット(４３)は、前記調整開始ストラテジーに基づき前記光ディスク(１)での実記録に使用する最適記録ストラテジーを決定することを特徴とするものである(図２：Ｆ０５)。
【００５９】
前記実施の形態によれば、効率良く最適な記録ストラテジーを選択することができる。
【００６０】
〔３〕本発明の他の観点の代表的な実施の形態は、モータ制御回路(４７)とレーザ制御回路(４６)とピックアップ位置制御回路(４５)と信号検出回路(４１、４２)と制御ユニット(４３)とメモリ(４４)とを具備する光ディスク装置である。
【００６１】
前記モータ制御回路(４７)は、前記制御ユニット(４３)からのモータ制御指示(Ｓ０９)に応答して、前記光ディスク装置に装着される光ディスク(１)を回転駆動するモータ(２)にモータ制御信号(Ｓ０１)を供給可能とされたものである。
【００６２】
前記レーザ制御回路(４６)は、前記制御ユニット(４３)からのレーザ制御指示(Ｓ０８)に応答して、前記光ディスク(１)の表面にデータ記録のレーザ光を照射するピックアップ(３)にレーザ制御信号(Ｓ０３)を供給可能とされたものである。
【００６３】
前記ピックアップ位置制御回路(４５)は、前記制御ユニット(４３)からの位置制御指示(Ｓ０７)に応答して、前記ピックアップ(３)を前記光ディスク(１)の径方向に移動させるための位置制御信号(Ｓ０２)を前記ピックアップ(３)に供給可能とされたものである。
【００６４】
前記信号検出回路(４１、４２)は、前記光ディスク(１)の前記表面の反射光を受光する前記ピックアップ(３)からのデータ再生の読み出し信号(Ｓ０４)に応答する測定情報(Ｓ０６)を前記制御ユニット(４３)に供給可能とされたものである。
【００６５】
前記メモリ(４４)は、前記制御ユニット(４３)のための情報を格納可能とされたものである(図１参照)。
【００６６】
前記制御ユニット(４３)は１つの標準初期ストラテジーから複数の初期ストラテジーを算出可能とされたものであり(図３：Ｆ０２０３)、前記複数の初期ストラテジーに従って前記データ記録の際の前記レーザ光の記録レーザパワーが変化されて前記光ディスク(１)に複数の評価データの記録が可能とされたものである(図３：Ｆ０２０４)。
【００６７】
前記信号検出回路(４１、４２)によって前記光ディスク(１)からデータ再生された前記複数の評価データに関して、前記制御ユニット(４３)が信号品質の評価を実行可能とされたものである(図３：Ｆ０２０４)。
【００６８】
前記制御ユニット(４３)は、前記信号品質の前記評価の結果に基づき、前記複数の初期ストラテジーの１つを調整開始ストラテジーとして選択可能とされたものである(図３：Ｆ０２０６)。
【００６９】
前記制御ユニット(４３)は、前記調整開始ストラテジーに基づき前記光ディスク(１)での実記録に使用する最適記録ストラテジーを決定することを特徴とするものである(図２：Ｆ０５)。
【００７０】
前記実施の形態によれば、効率良く最適な記録ストラテジーを選択することができる。
【００７１】
〔４〕本発明の他の観点の代表的な実施の形態は、モータ制御回路(４７)とレーザ制御回路(４６)とピックアップ位置制御回路(４５)と信号検出回路(４１、４２)と制御ユニット(４３)とメモリ(４４)とを具備する光ディスク装置の動作方法である。
【００７２】
前記モータ制御回路(４７)は、前記制御ユニット(４３)からのモータ制御指示(Ｓ０９)に応答して、前記光ディスク装置に装着される光ディスク(１)を回転駆動するモータ(２)にモータ制御信号(Ｓ０１)を供給可能とされたものである。
【００７３】
前記レーザ制御回路(４６)は、前記制御ユニット(４３)からのレーザ制御指示(Ｓ０８)に応答して、前記光ディスク(１)の表面にデータ記録のレーザ光を照射するピックアップ(３)にレーザ制御信号(Ｓ０３)を供給可能とされたものである。
【００７４】
前記ピックアップ位置制御回路(４５)は、前記制御ユニット(４３)からの位置制御指示(Ｓ０７)に応答して、前記ピックアップ(３)を前記光ディスク(１)の径方向に移動させるための位置制御信号(Ｓ０２)を前記ピックアップ(３)に供給可能とされたものである。
【００７５】
前記信号検出回路(４１、４２)は、前記光ディスク(１)の前記表面の反射光を受光する前記ピックアップ(３)からのデータ再生の読み出し信号(Ｓ０４)に応答する測定情報(Ｓ０６)を前記制御ユニット(４３)に供給可能とされたものである。
【００７６】
前記メモリ(４４)は、前記制御ユニット(４３)のための情報を格納可能とされたものである(図１参照)。
【００７７】
前記制御ユニット(４３)は１つの標準初期ストラテジーから複数の初期ストラテジーを算出可能とされたものであり(図３：Ｆ０２０３)、前記複数の初期ストラテジーに従って前記データ記録の際の前記レーザ光の記録レーザパワーが変化されて前記光ディスク(１)に複数の評価データの記録が可能とされたものである(図３：Ｆ０２０４)。
【００７８】
前記信号検出回路(４１、４２)によって前記光ディスク(１)からデータ再生された前記複数の評価データに関して、前記制御ユニット(４３)が信号品質の評価を実行可能とされたものである(図３：Ｆ０２０４)。
【００７９】
前記制御ユニット(４３)は、前記信号品質の前記評価の結果に基づき、前記複数の初期ストラテジーの１つを調整開始ストラテジーとして選択可能とされたものである(図３：Ｆ０２０６)。
【００８０】
前記制御ユニット(４３)は、前記調整開始ストラテジーに基づき前記光ディスク(１)での実記録に使用する最適記録ストラテジーを決定することを特徴とするものである(図２：Ｆ０５)。
【００８１】
前記実施の形態によれば、効率良く最適な記録ストラテジーを選択することができる。
【００８２】
２．実施の形態の詳細
次に、実施の形態について更に詳述する。尚、発明を実施するための最良の形態を説明するための全図において、前記の図と同一の機能を有する部品には同一の符号を付して、その繰り返しの説明は省略する。
【００８３】
［実施の形態１］
《光ディスク装置の構成》
図１は、本発明の実施の形態１による光ディスク装置の構成を示す図である。
【００８４】
図１に示した本発明の実施の形態１による光ディスク装置は、着脱が可能な光ディスク１を回転駆動するスピンドルモータ２と、光ピックアップ３と、信号処理を実行する信号処理用大規模半導体集積回路(以下、ＬＳＩと言う)４とを具備する。
【００８５】
光ディスク装置によって記録再生する光ディスク１としては、ＣＤ、ＤＶＤ、ＢＤ等の光ディスクを使用することができる。ただし、本発明ではこれらにディスクに限定されるものではない。
【００８６】
スピンドルモータ２は信号処理ＬＳＩ４からのモータ制御信号Ｓ０１によりモータ回転制御されることによって、所定の回転数で光ディスク１を回転させるものである。
【００８７】
光ピックアップ３は、信号処理ＬＳＩ４からの位置制御信号Ｓ０２により位置制御されることによって、光ディスク１の径方向に移動して所定の記録再生位置に移動する。また光ピックアップ３の半導体レーザは、信号処理ＬＳＩ４からのレーザパルス制御信号Ｓ０３によりレーザパルス制御され、記録または再生のためにレーザパルスを光ディスク１の表面に照射する。光ピックアップ３の半導体レーザから照射されたレーザパルスは光ディスク１の表面で反射され、光ピックアップ３の受光部が反射光を受光する。受光部は反射光を電気信号Ｓ０４に変換して、信号処理ＬＳＩ４に出力する。
【００８８】
信号処理ＬＳＩ４は、アナログフロントエンド(ＡＦＥ：Analog Front End)４１、信号品質測定回路４２、マイクロコントローラ(マイコン)４３、半導体メモリ４４、位置制御回路４５、レーザパルス制御回路４６、モータ制御回路４７を含むものである。
【００８９】
具体的な一例では、ＡＦＥ４１、信号品質測定回路４２、マイコン４３、メモリ４４、位置制御回路４５、レーザパルス制御回路４６、モータ制御回路４７は、それぞれ半導体チップにより構成されている。従って、これらの複数の半導体チップをパッケージ内部に内蔵した信号処理ＬＳＩ４は、ＳＩＰ(System in Package)もしくはＭＣＭ(Multi-chip Module)の形態で構成されたものである。
【００９０】
ＡＦＥ４１は光ピックアップ３が出力した電気信号Ｓ０４の増幅等のアナログ信号処理を実行することによってアナログ信号Ｓ０５を生成して、信号品質測定回路４２に出力する。
【００９１】
信号品質測定回路４２はアナログ信号Ｓ０５のベータ値、エッジシフト量およびジッタ量等の信号品質を測定して測定結果を算出して、測定結果情報Ｓ０６をマイコン４３に出力する。
【００９２】
マイコン４３は、光ディスク装置の各ハードウェアの制御を実行するものである。マイコン４３はハードウェア制御を半導体メモリ４４に格納されたソフトウェアによって制御するものであり、信号品質測定回路４２からの測定結果情報Ｓ０６はマイコン４３のソフトウェアによってデータ処理されて記録ストラテジーの調整が実行される。この記録ストラテジー調整時には、マイコン４３は位置制御回路４５、レーザパルス制御回路４６、モータ制御回路４７に位置制御指示Ｓ０７、レーザパルス制御指示Ｓ０８、モータ制御指示Ｓ０９をそれぞれ出力するものである。また、マイコン４３は、適宜半導体メモリ４４とデータの読み出しと書き込みとを実行する。このメモリ４４は同期型ダイナミックメモリ(ＳＤＲＡＭ：Synchronous Dynamic Random Access Memory)等の揮発性メモリやフラッシュメモリ等の不揮発性メモリであり、標準初期ストラテジー等のマイコン４３のデータ処理に関係するデータやソフトウェアプログラムを格納する。
【００９３】
位置制御回路４５はマイコン４３からの位置制御指示Ｓ０７に応答することによって、光ピックアップ３を記録位置または再生位置に移動させるように位置制御信号Ｓ０２を出力する。
【００９４】
レーザパルス制御回路４６はマイコン４３からのレーザパルス制御指示Ｓ０８に応答することによって、マイコン４３が指定した記録ストラテジーで記録するよう光ピックアップ３にレーザパルス制御信号Ｓ０３を出力する。
【００９５】
モータ制御回路４７はマイコン４３からのモータ制御指示Ｓ０９に応答することによって、マイコン４３が指定した速度で光ディスク１を回転させるようスピンドルモータ２にモータ制御信号Ｓ０１を出力する。
【００９６】
《光ディスク装置の記録ストラテジー調整動作》
図２は、図１に示した本発明の実施の形態１による光ディスク装置において記録ストラテジー調整を実行する場合の動作フローを示す図である。
【００９７】
特に図２には、記録ストラテジー調整開始から終了までの動作フローが示されている。図２に示した動作フローはマイコン４３で動作するソフトウェア処理による動作フローを示しているが、動作制御の一部または全てをハードウェア処理に置換することが可能である。
【００９８】
図２の動作フローの記録ストラテジー調整のステップＦ０１では、まず調整回数カウンタＮadjを初期値“１”にリセットして、調整回数最大値Ｎadjmaxと目標ジッタ値Ｊtargetとを決定する。調整回数カウンタＮadjには、マイコン４３内部のハードウェアリソースの１つとして構成された適切なカウンタ回路が使用されることができる。調整回数最大値Ｎadjmaxと目標ジッタ値Ｊtargetとはメモリ４４の所定の記憶領域に予め記憶されることができ、ステップＦ０１にてマイコン４３が所定の記憶領域を読み出すことによって、調整回数最大値Ｎadjmaxと目標ジッタ値Ｊtargetとが決定されるものである。
【００９９】
ステップＦ０１が終了したら、次にステップＦ０２にて調整開始ストラテジー選択(粗調整)を実行する。粗調整では１つの標準初期ストラテジーに基づき複数の初期ストラテジーが生成され、複数の初期ストラテジーで記録レーザパワーが変化され評価データとしてのランダムデータが光ディスク１の表面に記録されて、記録データの再生時の信号品質の評価結果に基づき調整開始ストラテジーが１種類選択される。粗調整についての詳細な説明は、後述する。
【０１００】
ステップＦ０２が終了したら、次にステップＦ０３で記録ストラテジー最適化(微調整)を実行する。
【０１０１】
一方、図１３は、図１に示した本発明の実施の形態１による光ディスク装置で実行されるマルチパルス型の記録ストラテジーとキャッスル型の記録ストラテジーとにおけるエッジシフト量の概要を示す図である。
【０１０２】
この図１３には、周期１Ｔを持ったチャネルクロックＣＬＫの波形、光ディスクに記録されるべきマークＭＡＲＫの形状、マルチパルス型記録レーザパルス波形ＳＴＲ１、キャッスル型記録レーザパルス波形ＳＴＲ２の関係が示されている。
【０１０３】
図１３に示すように、マルチパルス型の記録ストラテジーの前端エッジパルスのエッジシフト量Ｔｈは、チャネルクロックＣＬＫの立ち上がりからマルチパルス型記録レーザパルス波形ＳＴＲ１の最初の立ち上がりエッジまでの時間であり、マルチパルス型の記録ストラテジーの後端エッジパルスのエッジシフトＴｔはマークＭＡＲＫの後のチャネルクロックＣＬＫの立ち上がりからマルチパルス型記録レーザパルス波形ＳＴＲ１の最後の立ち下がりエッジまでの時間である。
【０１０４】
また図１３に示したように、キャッスル型の記録ストラテジーの前端エッジパルスのエッジシフトＴｈは、チャネルクロックＣＬＫの立ち上がりからキャッスル型記録レーザパルス波形ＳＴＲ２の最初の立ち上がりエッジまでの時間であり、キャッスル型の記録ストラテジーの後端エッジパルスのエッジシフトＴｔはマークＭＡＲＫの後のチャネルクロックＣＬＫの立ち上がりからキャッスル型記録レーザパルス波形ＳＴＲ２の最後の立ち下がりエッジまでの時間である。
【０１０５】
光ディスク１の記録のための記録レーザパルス波形にマルチパルス型とキャッスル型とのいずれを使用するかは、光ディスク１の種類に従って決定することもできるし、高速記録時の倍速速度に従ってすることもできるし、どちらか一方の波形に決定することもできる。尚、図２に示した本発明の実施の形態１による記録ストラテジー調整の動作において、記録レーザパルス波形の形状については図１３のものに限定されるものではない。
【０１０６】
微調整のステップＦ０３では粗調整のステップＦ０２にて選択された調整開始ストラテジーの各マークの前端エッジシフト量Ｔｈもしくは後端エッジシフト量Ｔｔを変化しながら評価データとしてのランダムデータを記録して、記録データの再生時の信号品質の評価結果に基づき、記録ストラテジーの最適化を実行する。評価結果におけるジッタ値をＪadjとする。このジッタ値Ｊadjは値が小さいほど、信号品質が良いものである。ステップＦ０３での微調整についての詳細な説明は、後述する。
【０１０７】
ステップＦ０３が終了したら、次にステップＦ０４でジッタ値Ｊadjと目標ジッタ値Ｊtargetを比較する。この比較にてジッタ値Ｊadjが目標ジッタ値Ｊtargetよりも小さい場合にはジッタ値Ｊadjが目標に到達したので、ステップＦ０３で最適化した記録ストラテジーを最適記録ストラテジーとして次のターゲットベータ調整を実行する。比較にてジッタ値Ｊadjが目標ジッタ値Ｊtargetよりも大きい場合にはジッタ値が目標に到達していないので、後述のステップＦ０６で調整回数Ｎadjの比較を行う。
【０１０８】
ステップＦ０４でジッタ値Ｊadjが目標ジッタ値Ｊtargetよりも小さい場合には、次のステップＦ０５でターゲットベータ調整を行う実行する。このターゲットベータ調整では、最適記録レーザパワーおよびターゲットベータ値を決定する。ステップＦ０５でのターゲットベータ調整の詳細な動作は、後述する。
【０１０９】
ステップＦ０５が終了したら、図２に示す記録ストラテジー調整を正常終了する。この正常終了後は、図示していないホストＰＣ(パーソナルコンピュータ)等からの実記録コマンドに応答して、図１に示した光ディスク装置は最適記録ストラテジーに従って光ディスク１の記録面に所定の記録を実行するものである。
【０１１０】
またステップＦ０５で最適記録ストラテジーを求めた後に、この最適記録ストラテジーのデータがメモリ４４に保持されることができる。そうすることによって、次回以降の光ディスク装置の電源電圧投入時等のシステム起動時に図２の動作フローの記録ストラテジー調整を省略する一方、メモリ４４に保持された最適記録ストラテジーを使用して記録を行うことが可能となる。尚、最適記録ストラテジーをメモリ４４に保持するのではなく、ステップＦ０２での初期ストラテジーの選択情報あるいは選択した初期ストラテジーからステップＦ０５の調整後の各マーク長／エッジでのエッジシフト量差分情報をメモリ４４に保持させることもできる。
【０１１１】
ステップＦ０４でジッタ値Ｊadjが目標ジッタ値Ｊtargetより大きい場合には、ステップＦ０６にて調整回数Ｎadjの比較を実行する。ステップＦ０６の調整回数の比較では、調整回数Ｎadjと調整回数Ｎadjmaxとが比較され、調整回数Ｎadjが調整回数最大値Ｎadjmax以上である場合には記録ストラテジー調整で目標に到達しなかったので図２の動作フローの記録ストラテジー調整を異常終了する。異常終了の後は、光ディスク１を光ディスク装置からアンロードして、ブザーを鳴らすなどして使用者に異常状態を通知する。また、ホストＰＣから光ディスク装置の異常状態を検出するための状態検出コマンドが送出された場合には、図１に示した光ディスク装置は異常状態を表示する情報を光ディスク１からの読み出しデータに付加してホストＰＣへ情報を送信するものである。ステップＦ０６の比較で調整回数Ｎadjが調整回数最大値Ｎadjmax未満である場合には、ステップＦ０７で調整回数Ｎadjが“１”カウントアップされる。
【０１１２】
ステップＦ０７が終了すると、ステップＦ０８で再調整判定が実行される。ステップＦ０８の再調整判定では、ジッタ値Ｊadjの目標ジッタ値Ｊtargetの未達成の程度に応じてステップＦ０２での調整開始ストラテジー選択(粗調整)から再度実行するのか、またはステップＦ０３での記録ストラテジー最適化(微調整)から再度実行するのかが決定される。例えば、ジッタ値Ｊadjと目標ジッタ値Ｊtargetとの差分が予め定めた値より大きい場合には再粗調整を行うと判定され、ステップＦ０２に戻って初期ストラテジーの算出を後述の図３の算出方法とは、別の方法で実行するものである。一方、ジッタ値Ｊadjと目標ジッタ値Ｊtargetとの差分が予め定めた値以下の場合には再微調整を行うと判定され、ステップＦ０３に戻って記録ストラテジー最適化の手順を変えた調整が実行される。
【０１１３】
《調整開始ストラテジー選択(粗調整)》
図３は、図２に示した本発明の実施の形態１による記録ストラテジー調整の動作フローの調整開始ストラテジー選択(粗調整)のステップＦ０２の処理における調整開始ストラテジー選択開始から終了までのフローを示す図である。
【０１１４】
図３における調整開始ストラテジー選択(粗調整)の最初のステップＦ０２０１では、まず粗調整カウンタＮevalを“１”にリセットして、粗調整回数最大値Ｎevalmaxを定義する。粗調整回数最大値Ｎevalmaxは初期ストラテジーの数と一致し、初期ストラテジーの算出方法によって数値は変わる。粗調整カウンタＮevalは１つの初期ストラテジーの処理が終わるとカウントアップされるカウンタである。
【０１１５】
ステップＦ０２０１の処理を終了すると、次のステップＦ０２０２で標準初期ストラテジーの読み出しを実行する。ステップＦ０２０２での標準初期ストラテジーの読み出しでは、予めメモリ４４に保持された標準初期ストラテジーをマイコン４３が読み出すものである。この標準初期ストラテジーとしては、例えば、種々の光ディスクのディスク管理情報に記録された推奨ストラテジーの統計平均値を標準初期ストラテジーとすることができるし、種々の光ディスクの推奨ストラテジー中で最も頻度が高いストラテジーを標準初期ストラテジーとすることもでき、標準初期ストラテジーの決定方法はこれらに限定されるものではない。
【０１１６】
ステップＦ０２０２が終了すると、次のステップＦ０２０３にて初期ストラテジー選択を実行することによって、複数の初期ストラテジーを算出して、複数の初期ストラテジーのどの初期ストラテジーで信号品質評価を行うかを選択する。この選択は、その時点での粗調整カウンタＮevalの値によって決定されるものである。また、選択前の複数の初期ストラテジーは、例えばステップＦ０２０２で読み出した標準初期ストラテジーにおいて各マークの前端エッジシフト量Ｔｈを一律一定量(負数の場合も含む)だけ加算した記録ストラテジー、あるいは各マークの後端エッジシフト量Ｔｔを一律一定量(負数の場合も含む)だけ加算した記録ストラテジー、あるいは標準初期ストラテジーそのもの等の算出された複数のストラテジーを含んでいる。ここで各マークの前端エッジシフト量Ｔｈおよび後端エッジシフト量Ｔｔおよび参照記録パワー以外の記録ストラテジーのパラメータについては、固定としても良い。
【０１１７】
図７は、図３に示した本発明の実施の形態１による調整開始ストラテジー選択(粗調整)のステップＦ０２に含まれるステップＦ０２０３の初期ストラテジー選択で選択される初期ストラテジーの例を示す図である。
【０１１８】
図８も、図３に示した本発明の実施の形態１による調整開始ストラテジー選択(粗調整)のステップＦ０２に含まれるステップＦ０２０３の初期ストラテジー選択で選択される初期ストラテジーの例を示す図である。
【０１１９】
尚、図７および図８の初期ストラテジー１は、標準初期ストラテジーを示している。
【０１２０】
図７はマーク３Ｍ〜６Ｍの各マークとスペース３Ｓ〜６Ｓの各スペースとの組み合わせについてのマークの前端エッジシフト量Ｔｈ、後端エッジシフト量Ｔｔの例を示しており、単位はｓｔｅｐである(１ｓｔｅｐ＝１／１６Ｔ；Ｔはチャネルクロック周期)。図７には初期ストラテジーの全てが示され、初期ストラテジー２〜初期ストラテジー９の前端エッジシフト量Ｔｈ、後端エッジシフト量Ｔｔは標準初期ストラテジー(初期ストラテジー１)の各マークの前端エッジシフト量Ｔｈ、後端エッジシフト量Ｔｔを一律５ｓｔｅｐ加算または減算することによって得られた記録ストラテジーである。図７の３Ｍ〜６Ｍおよび３Ｓ〜６Ｓはそれぞれ３Ｔのマーク〜６Ｔ以上のマーク、３Ｔのスペース〜６Ｔ以上のスペースを示している。
【０１２１】
図８では横軸は前端エッジシフト量Ｔｈ、縦軸は後端エッジシフト量Ｔｔであり、図８には初期ストラテジー１〜初期ストラテジー９の各マークと各スペースの組み合わせの分布が示されている。図８の矢印Ｓ２〜矢印Ｓ９の各矢印は３Ｔマーク(３Ｍ)−４Ｔスペース(４Ｓ)について標準初期ストラテジー(初期ストラテジー１)の前端エッジシフト量Ｔｈ、後端エッジシフト量Ｔｔを５ｓｔｅｐ加算もしくは減算した様子を示している。つまり、図８では、標準初期ストラテジー(初期ストラテジー１)を基準としたものである。矢印Ｓ２は、基準に前端エッジシフト量Ｔｈを＋５ｓｔｅｐ、後端エッジシフト量Ｔｔを±０ｓｔｅｐした初期ストラテジー２の３Ｔマーク(３Ｍ)−４Ｔスペース(４Ｓ)の前端エッジシフト量および後端エッジシフト量を示すものである。矢印Ｓ３は、基準に前端エッジシフト量Ｔｈを−５ｓｔｅｐ、後端エッジシフト量Ｔｔを±０ｓｔｅｐした初期ストラテジー３の３Ｔマーク(３Ｍ)−４Ｔスペース(４Ｓ)の前端エッジシフト量および後端エッジシフト量を示すものである。矢印Ｓ４は、基準に前端エッジシフト量Ｔｈを±０ｓｔｅｐ、後端エッジシフト量Ｔｔを＋５ｓｔｅｐした初期ストラテジー４の３Ｔマーク(３Ｍ)−４Ｔスペース(４Ｓ)の前端エッジシフト量および後端エッジシフト量を示すものである。矢印Ｓ５は、基準に前端エッジシフト量Ｔｈを±０ｓｔｅｐ、後端エッジシフト量Ｔｔを−５ｓｔｅｐした初期ストラテジー５の３Ｔマーク(３Ｍ)−４Ｔスペース(４Ｓ)の前端エッジシフト量および後端エッジシフト量を示すものである。矢印Ｓ６は、基準に前端エッジシフト量Ｔｈを−５ｓｔｅｐ、後端エッジシフト量Ｔｔを＋５ｓｔｅｐした初期ストラテジー６の３Ｔマーク(３Ｍ)−４Ｔスペース(４Ｓ)の前端エッジシフト量および後端エッジシフト量を示すものである。矢印Ｓ７は、基準に前端エッジシフト量Ｔｈを＋５ｓｔｅｐ、後端エッジシフト量Ｔｔを＋５ｓｔｅｐした初期ストラテジー７の３Ｔマーク(３Ｍ)−４Ｔスペース(４Ｓ)の前端エッジシフト量および後端エッジシフト量を示すものである。矢印Ｓ８は、基準に前端エッジシフト量Ｔｈを−５ｓｔｅｐ、後端エッジシフト量Ｔｔを−５ｓｔｅｐした初期ストラテジー８の３Ｔマーク(３Ｍ)−４Ｔスペース(４Ｓ)の前端エッジシフト量および後端エッジシフト量を示すものである。矢印Ｓ９は、基準に前端エッジシフト量Ｔｈを＋５ｓｔｅｐ、後端エッジシフト量Ｔｔを−５ｓｔｅｐした初期ストラテジー９の３Ｔマーク(３Ｍ)−４Ｔスペース(４Ｓ)の前端エッジシフト量および後端エッジシフト量を示すものである。
【０１２２】
図７および図８から、標準初期ストラテジー(初期ストラテジー１)と初期ストラテジー２〜初期ストラテジー９の関係は、下記のように理解される。すなわち、矢印Ｓ２〜矢印Ｓ９の各矢印の３Ｔマーク(３Ｍ)−４Ｔスペース(４Ｓ)の各マークの前端エッジシフト量Ｔｈおよび後端エッジシフト量Ｔｔが標準初期ストラテジー(初期ストラテジー１)を基準に、上下左右の少なくとも１方向５ｓｔｅｐ平行移動させたものである。つまり、光ディスクにおけるマーク形成においては各マーク間での前端エッジシフト量Ｔｈおよび後端エッジシフト量Ｔｔの相対関係は光ディスクの間では大きな差が無いと想定して、光ディスクの間では前端エッジシフト量Ｔｈと後端エッジシフト量Ｔｔとによって決定されるレーザパルス幅で差異が生じると想定して初期ストラテジーを設定して、各マークの前端エッジシフト量Ｔｈおよび後端エッジシフト量Ｔｔの分布の差異は記録ストラテジー最適化(微調整)(図２のステップＦ０３)およびターゲットベータ調整(図２のステップＦ０５)で調整するものである。
【０１２３】
図３の本発明の実施の形態１による調整開始ストラテジー選択(粗調整)の説明に、戻ることにする。
【０１２４】
図３のステップＦ０２０３の初期ストラテジー選択が終了すると、次のステップＦ０２０４にてステップＦ０２０３の初期ストラテジー選択で決定した初期ストラテジーで信号品質評価を実行する。このステップＦ０２０４の信号品質評価においては、記録レーザパワーを変化しながら評価データとしてのランダムデータの記録を実行して、記録後に信号品質測定を実行して、所定の評価関数によって評価値を算出する。詳細な動作は、後述する。
【０１２５】
ステップＦ０２０４の信号品質評価が終了すると、次のステップＦ０２０５にて粗調整カウンタＮevalと粗調整回数最大値Ｎevalmaxを比較する。ステップＦ０２０５の比較で粗調整カウンタＮevalが粗調整回数最大値Ｎevalmaxよりも大きければ、ステップＦ０２０６にて調整開始ストラテジー選択を実行する。ステップＦ０２０５の比較で粗調整カウンタＮevalが粗調整回数最大値Ｎevalmaxよりも小さければ、ステップＦ０２０７にて粗調整カウンタＮevalを“１”カウントアップした後に先のステップＦ０２０３の初期ストラテジー選択に戻る。
【０１２６】
ステップＦ０２０６の調整開始ストラテジー選択では、ステップＦ０２０４の信号品質評価にて求めた各初期ストラテジー１〜９での評価関数の評価値を比較することにより最も評価値の大きい初期ストラテジーを調整開始ストラテジーに設定して、調整開始ストラテジー選択(粗調整)のステップＦ０２の最終処理のステップＦ０２０６の調整開始ストラテジー選択を終了する。また、ステップＦ０２０６の調整開始ストラテジーを使用することにより次処理であるステップＦ０３の記録ストラテジー最適化(微調整)を行う際の記録レーザパワーは、ステップＦ０２０６の調整開始ストラテジーで選択した初期ストラテジーでステップＦ０２０４の信号品質評価を行った時のパワーマージンの中心となるレーザパワー値とする。もしくはパワーマージンで、最もジッタ値が小さくなるようなレーザパワー値とすることも可能である。
【０１２７】
もしもステップＦ０２０６の調整開始ストラテジー選択での評価関数の評価値の比較で初期ストラテジー全てにおいて評価値が“０”であった場合には、図示はしていないが、図３に示した調整開始ストラテジー選択(粗調整)と類似の再粗調整を行うと判定して、図２の記録ストラテジー調整のステップＦ０２に戻って初期ストラテジーの算出を図３のステップＦ０２０３の初期ストラテジー選択で説明した算出方法とは別の方法で行うことができる。それ以外に、評価値が非“０”値となるように目標ジッタ値Ｊtargetを大きな値に変更することによって、初期ストラテジーが得られるようにしてこの初期ストラテジーを調整開始ストラテジーすることもできる。
【０１２８】
また、ステップＦ０２０６の調整開始ストラテジー選択において、全ての初期ストラテジーでの測定結果について評価値を計算せず測定結果においてパワーマージンが予め定めたしきい値より大きい初期ストラテジーについてのみ評価値を計算して、最も評価値の大きい初期ストラテジーを調整開始ストラテジーに設定することもできる。しきい値については絶対値で設定することもでき、測定結果にて最もパワーマージンが大きい数値のＮ％以上である初期ストラテジーについて評価値を計算することもできる。
【０１２９】
《信号品質評価》
図４は、図３に示した本発明の実施の形態１による調整開始ストラテジー選択(粗調整)のステップＦ０２のステップＦ０２０４の信号品質評価を説明する図である。
【０１３０】
図４に示したステップＦ０２０４の信号品質評価の最初のステップＦ０２０４０１においては、まず記録回数カウンタＮrecと再生回数カウンタＮplayとをそれぞれ“１”にリセットして、最大記録再生数Ｎrpmaxを定義する。最大記録再生数Ｎrpmaxは、記録レーザパワー範囲とレーザパワー間隔で決定される。例えば、標準初期ストラテジーの参照パワーを１００％とすると、記録レーザパワー範囲を４０％〜１５０％のいずれかのレーザパワーで決定して、記録レーザパワー間隔を１０％とすると、記録レーザパワー範囲を４０％、５０％、６０％、７０％、８０％、９０％、１００％、１１０％、１２０％、１３０％、１４０％、１５０％のいずれかの間隔の記録レーザパワーで記録するので最大記録再生数Ｎrpmaxは１２と定義する。尚、記録レーザパワー範囲およびレーザパワー間隔は光ディスクに関わらず固定とすることもでき、光ディスクの種類等に応じて適宜異なる値に設定することもできる。
【０１３１】
次のステップＦ０２０４０２にて、記録レーザパワー決定が実行される。この記録レーザパワー決定では、上述した記録レーザパワー範囲４０％、５０％、６０％、７０％、８０％、９０％、１００％、１１０％、１２０％、１３０％、１４０％、１５０％のいずれかの値に記録レーザパワーを決定する。
【０１３２】
次のステップＦ０２０４０３では、記録時モータ回転数制御が実行される。この記録時モータ回転数制御では、所定の記録速度となるようにマイコン４３がモータ制御回路４７にモータ制御指示Ｓ０９を出力する。従って、モータ制御回路４７はモータ制御指示Ｓ０９に応答して、所定の記録速度となるようにスピンドルモータの回転数を制御するためモータ制御信号Ｓ０１をスピンドルモータ２に出力する。
【０１３３】
ステップＦ０２０４０３でスピンドルモータ２の回転数の所望の回転数への制御が完了すると、次のステップＦ０２０４０４で記録時光ピックアップ位置制御が実行される。この記録時光ピックアップ位置制御では、信号品質評価を行うための記録を行う光ディスク１の領域に光ピックアップ３を移動するようにマイコン４３が位置制御回路４５に位置制御指示Ｓ０７を出力する。すると、位置制御回路４５は位置制御指示Ｓ０７に応答して、この領域に光ピックアップ３を移動するように位置制御信号Ｓ０２を光ピックアップ３に出力する。
【０１３４】
ステップＦ０２０４０４で所望の位置への光ピックアップ３の移動が完了すると、次のステップＦ０２０４０５にて以前のステップＦ０２０３で選択した初期ストラテジーによって光ディスク１に評価データとしてのランダムデータの記録が実行される。この記録では、マイコン４３は信号品質評価を実行するためにステップＦ０２０３で選択した初期ストラテジーで記録するように、レーザパルス制御回路４６にレーザパルス制御指示Ｓ０８を出力する。するとレーザパルス制御回路４６はレーザパルス制御指示Ｓ０８に応答して、光ディスク１上の所定のアドレス位置においてレーザパルス制御信号Ｓ０３を光ピックアップ３に出力して、所定のサイズの記録が実行される。
【０１３５】
ステップＦ０２０４０５で所定のサイズの記録が完了すると、次のステップＦ０２０４０６にて記録回数カウンタＮrecと最大記録再生数Ｎrpmaxの比較を実行する。この比較で記録回数カウンタＮrecの値が最大記録再生数Ｎrpmaxよりも大きい場合には、所定のレーザパワー範囲による記録が終了したので、次にステップＦ０２０４０７以降で再生を実行する。比較で記録回数カウンタＮrecの値が最大記録再生数Ｎrpmaxよりも小さい場合には、ステップＦ０２０４１２で記録回数カウンタＮrecを“１”インクリメントした後、ステップＦ０２０４０２に戻って異なる記録レーザパワーを決定して、さらにステップＦ０２０４０３、Ｆ０２０４０４、Ｆ０２０４０５で以前に記録した領域とは異なる領域に所定のサイズの記録を行う。
【０１３６】
ステップＦ０２０４０６の比較にて記録回数カウンタＮrecの値が最大記録再生数Ｎrpmaxよりも大きい場合には、ステップＦ０２０４０７で再生時モータ回転数制御が実行される。再生時モータ回転数制御では、所定の再生速度となるようマイコン４３がモータ制御回路４７にモータ制御指示Ｓ０９を出力する。モータ制御回路４７はモータ制御指示Ｓ０９に応答して、所定の再生速度となるようスピンドルモータ２の回転数を制御するためモータ制御信号Ｓ０１をスピンドルモータ２に出力する。
【０１３７】
ステップＦ０２０４０７でスピンドルモータ２の回転数の所望の回転数への制御が完了すると、次のステップＦ０２０４０８で再生時光ピックアップ位置制御を実行する。この再生時光ピックアップ位置制御では、信号品質評価を行うための記録を行った光ディスク１の領域に光ピックアップ３を移動するようにマイコン４３が位置制御回路４５に位置制御指示Ｓ０７を出力する。すると位置制御回路４５は位置制御指示Ｓ０７に応答して、この領域に光ピックアップ３が移動するように位置制御信号Ｓ０２を光ピックアップ３に出力する。
【０１３８】
ステップＦ０２０４０８の再生時光ピックアップ位置制御の処理が終了すると、次のステップＦ０２０４０９にて光ディスク１を再生することによって信号品質測定を実行する。この信号品質測定では、マイコン４３は信号品質評価を行うための再生を実行するようにレーザパルス制御回路４６にレーザパルス制御指示Ｓ０８を出力する。レーザパルス制御回路４６はレーザパルス制御指示Ｓ０８に応答して、光ディスク１上の所定のアドレス位置にてレーザパルス制御信号Ｓ０３を光ピックアップ３に出力することによって再生を実行する。光ピックアップ３はレーザを光ディスク１に照射して、光ディスク１からの反射光を受光して、この反射光を電気信号Ｓ０４に変換して、信号処理ＬＳＩ４のＡＦＥ４１に出力する。するとＡＦＥ４１は電気信号Ｓ０４の増幅等のアナログ信号処理を実行することによってアナログ信号Ｓ０５を生成して、信号品質測定回路４２に出力する。信号品質測定回路４２はアナログ信号Ｓ０５のジッタ量を測定して測定結果を算出して測定結果情報Ｓ０６をマイコン４３に出力する。するとマイコン４３は、測定結果情報Ｓ０６をメモリ４４に格納する。
【０１３９】
ステップＦ０２０４０９の信号品質測定が終了すると、次のステップＦ０２０４１０にて再生回数カウンタＮplayと最大記録再生数Ｎrpmaxを比較する。再生回数カウンタＮplayの値が最大記録再生数Ｎrpmaxよりも大きい場合には、信号品質測定が終了したことになるので、次のステップＦ０２０４１１で評価関数演算を実行する。ステップＦ０２０４１０の比較で再生回数カウンタＮplayの値が最大記録再生数Ｎrpmaxよりも小さい場合には、ステップＦ０２０４１３で再生回数カウンタＮplayを“１”インクリメントした後、ステップＦ０２０４０７に戻り、さらにステップＦ０２０４０８、Ｆ０２０４０９によって以前に記録した領域とは異なる領域の再生を実行することによって信号品質測定を実行する。
【０１４０】
ステップＦ０２０４１０にて再生回数カウンタＮplayが最大記録再生数Ｎrpmaxよりも大きい場合には、次のステップＦ０２０４１１で評価関数演算を実行する。ステップＦ０２０４１１での演算の評価関数は、次の関数Ｆevalを用いる。
【０１４１】
Ｆeval＝ＳＵＭ(Ｊtarget−Ｊ(ｋ) )
【０１４２】
ここでｋはジッタに関連してＪ(ｋ)≦Ｊtargetの関係を満足する信号品質測定におけるサンプル点であり、Ｊ(ｋ)はサンプル点ｋにおけるジッタ値である。
【０１４３】
この評価関数Ｆevalは、パワーマージンが大きいほどおよびジッタ値が小さいほど演算結果の値が大きくなるものであり、演算結果の値が大きいほど信号品質が良いものである。マイコン４３は評価関数Ｆevalの演算結果をメモリ４４に格納して、図４のステップＦ０２０４の信号品質評価の処理が終了する。
【０１４４】
《記録ストラテジー最適化(微調整)》
図５は、図２に示した本発明の実施の形態１による記録ストラテジー調整の動作フローのステップＦ０３の記録ストラテジー最適化(微調整)を説明する図である。
【０１４５】
図５に示す記録ストラテジー最適化(微調整)の処理の最初のステップＦ０３０１では、まずマイコン４３は調整対象のマーク長とエッジ(前端エッジまたは後端エッジ)とを決定する。
【０１４６】
次のステップＦ０３０２では、ステップＦ０３０１で決定されたマーク長およびエッジについてのエッジシフト量の調整幅を決定する。例えば、調整幅は、調整開始ストラテジーを基準として、前後５ｓｔｅｐ等である。ここで、エッジシフト量の調整幅は、例えば１ｓｔｅｐ＝１／１６Ｔ(Ｔはチャネルクロック周期)等とする。
【０１４７】
ステップＦ０３０２でエッジシフト量の調整幅を決定した後に、次のステップＦ０３０３ではマーク長に関係する前端エッジシフト量または後端エッジシフト量を調整幅の範囲内で決定することによって記録ストラテジーを決定する。この時に他のマークのエッジシフト量やパラメータは、図５に示す記録ストラテジー最適化の始めであれば図３で説明した調整開始ストラテジー選択(粗調整)によって選択された１種類の調整開始ストラテジーと同じものである。その他の場合については、ステップＦ０３１３の説明で述べる。またこの時調整を行うマーク長は１種類でも良く、複数の種類のマーク長を並行して調整することもできる。
【０１４８】
ステップＦ０３０３で記録ストラテジーを決定した後に、次のステップＦ０３０４で記録時モータ回転数制御を実行する。この記録時モータ回転数制御で、所定の記録速度となるようにマイコン４３がモータ制御回路４７にモータ制御指示Ｓ０９を出力する。すると、モータ制御回路４７はモータ制御指示Ｓ０９に応答して、所定の記録速度となるようにスピンドルモータ２の回転数を制御するためのモータ制御信号Ｓ０１をスピンドルモータ２に出力する。
【０１４９】
ステップＦ０３０４でスピンドルモータ２の回転数の所望の回転数への制御が完了すると、次のステップＦ０３０５にて記録時光ピックアップ位置制御を実行する。この記録時光ピックアップ位置制御では、微調整のための記録が実行される光ディスク１の領域に光ピックアップ３を移動するようにマイコン４３が位置制御回路４５に位置制御指示Ｓ０７を出力する。すると、位置制御回路４５はこの領域に光ピックアップ３が移動するように、位置制御信号Ｓ０２を光ピックアップ３に出力する。
【０１５０】
ステップＦ０３０５で所望の位置への光ピックアップ３の移動が完了すると、次のステップＦ０３０６ではステップＦ０３０３にて決定した記録ストラテジーに従って光ディスク１に評価データとしてのランダムデータの記録が実行される。この記録では、マイコン４３はステップＦ０３０３で決定した記録ストラテジーで記録するように、レーザパルス制御回路４６にレーザパルス制御指示Ｓ０８を出力する。するとレーザパルス制御回路４６はレーザパルス制御指示Ｓ０８に応答して、光ディスク１上の所定のアドレス位置にてレーザパルス制御信号Ｓ０３を光ピックアップ３に出力することによって所定のサイズの記録が実行される。
【０１５１】
ステップＦ０３０６で所定のサイズの記録の実行が完了すると、次のステップＦ０３０７にて以前のステップＦ０３０２で決定した調整幅について全ての記録が完了しているか否かが判定される。このステップＦ０３０７で全ての記録が完了していると判定されると、次にステップＦ０３０８以降の処理によって再生が実行される。ステップＦ０３０７にて全ての記録が完了していないと判定されると、以前のステップＦ０３０３に戻り、記録ストラテジーが変更されステップＦ０３０４〜Ｆ０３０６によって以前に記録した領域と異なる領域に所定のサイズの記録が実行される。
【０１５２】
ステップＦ０３０７で全ての記録が完了していると判定された場合、ステップＦ０３０８で再生時モータ回転数制御が実行される。この再生時モータ回転数制御では、マイコン４３が所定の再生速度となるようにモータ制御回路４７にモータ制御指示Ｓ０９を出力する。するとモータ制御回路４７はモータ制御指示Ｓ０９に応答して、所定の再生速度となるようにスピンドルモータ２の回転数を制御するためのモータ制御信号Ｓ０１をスピンドルモータ２に出力する。
【０１５３】
ステップＦ０３０８でスピンドルモータ２の回転数の所望の回転数への制御が完了すると、ステップＦ０３０９にて再生時光ピックアップ位置制御が実行される。この再生時光ピックアップ位置制御では、記録が完了した光ディスク１の領域に光ピックアップ３を移動するようにマイコン４３が位置制御回路４５に位置制御指示Ｓ０７を出力する。すると、位置制御回路４５は位置制御指示Ｓ０７に応答して、光ピックアップ３がこの領域に移動するよう位置制御信号Ｓ０２を光ピックアップ３に出力する。
【０１５４】
ステップＦ０３０９の位置制御の処理が終了すると、ステップＦ０３１０にて光ディスク１を再生して、信号品質測定を実行する。この信号品質測定で、マイコン４３は信号品質評価を行うための再生を実行するようにレーザパルス制御回路４６にレーザパルス制御指示Ｓ０８を出力する。レーザパルス制御回路４６はレーザパルス制御指示Ｓ０８に応答して、光ディスク１上の所定のアドレス位置にてレーザパルス制御信号Ｓ０３を光ピックアップ３に出力して、再生が実行される。すなわち、光ピックアップ３はレーザを光ディスク１に照射して、光ディスク１からの反射光を受光して、反射光を電気信号Ｓ０４に変換して、信号処理ＬＳＩ４のＡＦＥ４１に出力する。ＡＦＥ４１は電気信号Ｓ０４の増幅等のアナログ信号処理の実行によりアナログ信号Ｓ０５を生成して、信号品質測定回路４２に出力する。信号品質測定回路４２はアナログ信号Ｓ０５のジッタ量を測定して測定結果を算出して、測定結果情報Ｓ０６をマイコン４３に出力する。するとマイコン４３は、測定結果情報Ｓ０６をメモリ４４に格納するものである。
【０１５５】
ステップＦ０３１０の信号品質測定の処理が終了すると、ステップＦ０３１１にて以前のステップＦ０３０２で決定した調整幅の範囲での全ての信号品質測定が完了しているか否かを判定する。調整幅の範囲での全ての信号品質測定が完了している判定された場合には、次のステップＦ０３１２でエッジシフト量の決定を実行する。ステップＦ０３１１で調整幅の範囲の全ての信号品質測定が完了していないと判定された場合には、ステップＦ０３０８、ステップＦ０３０９、ステップＦ０３１０に戻り、別の領域での信号品質測定が実行される。
【０１５６】
ステップＦ０３１２のエッジシフト量の決定では、メモリ４４に格納された測定結果情報が読み出され、最もジッタ量が小さいシフト位置が求められて、その時のエッジシフト量がそのマーク長およびエッジのための最適記録ストラテジーと決定される。また、エッジシフト量の決定では、ジッタ量対エッジシフト量の特性が取得されて、その特性を近似した近似曲線で最小値を持ったエッジシフト量をそのマーク長およびエッジの最適記録ストラテジーと決定することもできる。
【０１５７】
ステップＦ０３１２のエッジシフト量決定の処理が終了すると、次のステップＦ０３１３で全てのマーク長およびエッジについて調整が完了したか否かが判定される。このステップＦ０３１３にて全てのマーク長およびエッジについて調整が完了したと判定されると、その時点の記録ストラテジーを最適記録ストラテジーとして図５の記録ストラテジー最適化(微調整)の処理を終了して、そうでなければ調整していないマーク長およびエッジについて調整を行うためにステップＦ０３０１以降の処理に戻り、同様の微調整を実行する。
【０１５８】
《ターゲットベータ調整》
図６は、図２に示した本発明の実施の形態１による記録ストラテジー調整の動作フローのステップＦ０５のターゲットベータ調整を説明する図である。
【０１５９】
図６に示すターゲットベータ調整の最初のステップＦ０５０１では、まず記録回数カウンタＮbetarecと再生回数カウンタＮbetaplayとをそれぞれ“１”にリセットして、最大記録再生数Ｎbetarpmaxを定義する。
【０１６０】
次のステップＦ０５０２にて、記録レーザパワー決定を実行する。この記録レーザパワー決定においては、図４に示した信号品質評価の処理のステップＦ０２０４０１にて説明した記録レーザパワー範囲内のいずれかのパワーを決定する。尚、この記録レーザパワー範囲は、図４に示した信号品質評価の処理のステップＦ０２０４０２で決定した範囲と同じとすることが可能であり、異なった範囲とすることもできる。
【０１６１】
次のステップＦ０５０３では、記録時モータ回転数制御を実行する。この記録時モータ回転数制御では、所定の記録速度となるようにマイコン４３はモータ制御回路４７にモータ制御指示Ｓ０９を出力する。するとモータ制御回路４７はモータ制御指示Ｓ０９に応答して、所定の記録速度となるようにスピンドルモータ２の回転数を制御するためのモータ制御信号Ｓ０１をスピンドルモータ２に出力する。
【０１６２】
ステップＦ０５０３でスピンドルモータ２の回転数の所望の回転数への制御が完了すると、次のステップＦ０５０４で記録時光ピックアップ位置制御が実行される。この記録時光ピックアップ位置制御では、マイコン４３が位置制御回路４５にターゲットベータ調整を実行するための記録を行う光ディスク１の領域に光ピックアップ３が移動するよう位置制御指示Ｓ０７を出力する。位置制御回路４５は位置制御指示Ｓ０７に応答して、この領域に光ピックアップ３が移動するように位置制御信号Ｓ０２を光ピックアップ３に出力するものである。
【０１６３】
ステップＦ０５０４での所望の位置への光ピックアップ３の移動が完了すると、次のステップＦ０５０５で図２の記録ストラテジー調整のステップＦ０４のジッタ値Ｊadjと目標ジッタ値Ｊtargetとの比較により決定されたステップＦ０３で最適化された最適記録ストラテジーで光ディスク１に評価データとしてのランダムデータの記録が実行される。この記録では、ターゲットベータ調整の実行のために図２の記録ストラテジー調整のステップＦ０４で決定した最適記録ストラテジーで記録するようにマイコン４３はレーザパルス制御回路４６にレーザパルス制御指示Ｓ０８を出力する。レーザパルス制御回路４６はレーザパルス制御指示Ｓ０８に応答して、光ディスク１上の所定のアドレス位置にてレーザパルス制御信号Ｓ０３を光ピックアップ３に出力し、所定のサイズの記録が実行される。
【０１６４】
ステップＦ０５０５で所定のサイズの記録が完了すると、次のステップＦ０５０６で記録回数カウンタＮbetarecと最大記録再生数Ｎbetarpmaxの比較が実行される。この比較で記録回数カウンタＮbetarecが最大記録再生数Ｎbetarpmaxよりも大きい場合には、所定のレーザパワー範囲の記録が終了したことになるので、次のステップＦ０５０７以降で再生を実行する。またステップＦ０５０６の比較で記録回数カウンタＮbetarecが最大記録再生数Ｎbetarpmaxよりも小さい場合には、ステップＦ０５１２で記録回数カウンタＮbetarecを“１”インクリメントした後、先のステップＦ０５０２に戻って記録レーザパワーを決定して、さらにステップＦ０５０３、Ｆ０５０４、Ｆ０５０５で以前に記録した領域とは異なる領域に所定のサイズの記録を実行する。
【０１６５】
ステップＦ０５０６の比較での記録回数カウンタＮbetarecが最大記録再生数Ｎbetarpmaxよりも大きい場合には、ステップＦ０５０７で再生時モータ回転数制御を実行する。この再生時モータ回転数制御では、所定の再生速度となるようにマイコン４３がモータ制御回路４７にモータ制御指示Ｓ０９を出力する。するとモータ制御回路４７はモータ制御指示Ｓ０９に応答して、所定の再生速度となるようにスピンドルモータ２の回転数を制御するためのモータ制御信号Ｓ０１をスピンドルモータ２に出力する。
【０１６６】
ステップＦ０５０７でスピンドルモータ２の回転数の所望の回転数への制御が完了すると、次のステップＦ０５０８で再生時光ピックアップ位置制御が実行される。この再生時光ピックアップ位置制御では、マイコン４３が位置制御回路４５にターゲットベータ調整のための記録を行った光ディスク１の領域に光ピックアップ３を移動するように位置制御指示Ｓ０７を出力する。位置制御回路４５は位置制御指示Ｓ０７に応答して、光ピックアップ３がこの領域に移動するように位置制御信号Ｓ０２を光ピックアップ３に出力する。
【０１６７】
ステップＦ０５０８のピックアップ位置制御の処理が終了すると、次のステップＦ０５０９で光ディスク１を再生して、信号品質測定を実行する。
【０１６８】
ステップＦ０５０９の信号品質測定で、マイコン４３は信号品質評価を行うための再生を実行するようにレーザパルス制御回路４６にレーザパルス制御指示Ｓ０８を出力する。レーザパルス制御回路４６はレーザパルス制御指示Ｓ０８に応答して、光ディスク１上の所定のアドレス位置でレーザパルス制御信号Ｓ０３を光ピックアップ３に出力して、再生が実行される。光ピックアップ３はレーザを光ディスク１に照射して、光ディスク１からの反射光を受光して、反射光を電気信号Ｓ０４に変換して、信号処理ＬＳＩ４のＡＦＥ４１に出力する。ＡＦＥ４１は電気信号Ｓ０４の増幅等のアナログ信号処理を実行してアナログ信号Ｓ０５を生成して、信号品質測定回路４２に出力する。この信号品質測定回路４２はアナログ信号Ｓ０５のジッタ量およびベータ値を測定して測定結果を算出して、測定結果情報Ｓ０６をマイコン４３に出力する。すると、マイコン４３は、測定結果情報Ｓ０６をメモリ４４に格納する。
【０１６９】
ステップＦ０５０９の信号品質測定が終了すると、次のステップＦ０５１０では再生回数カウンタＮbetaplayと最大記録再生数Ｎbetarpmaxとが比較される。この比較で再生回数カウンタＮbetaplayが最大記録再生数Ｎbetarpmaxよりも大きいと判定された場合には、信号品質測定が終了したことになるので、次のステップＦ０５１１でターゲットベータを決定する。ステップＦ０５０９の比較で再生回数カウンタＮbetaplayが最大記録再生数Ｎbetarpmaxよりも小さいと判定された場合には、ステップＦ０５１３にて再生回数カウンタＮbetaplayを“１”インクリメントした後、ステップＦ０５０７、Ｆ０５０８、Ｆ０５０９の処理に戻って、以前に測定した領域と異なった領域の再生を実行することによって信号品質測定を実行する。
【０１７０】
ステップＦ０５１０の比較で再生回数カウンタＮbetaplayが最大記録再生数Ｎbetarpmaxよりも大きいと判定された場合に、ステップＦ０５１１でターゲットベータを決定する。このターゲットベータ決定では、マイコン４３がメモリ４４に格納された測定結果情報を読み出して、ジッタ量対記録レーザパワーの特性が取得される。ジッタ値が最も良い箇所での記録パワーが、実データの記録の際の記録パワーに設定され、また、ジッタ値が最も良い箇所でのベータ値がターゲットベータとしてメモリ４４に格納される。尚、このベータ値は、記録品質または信号品質であり、ステップＦ０５０７、Ｆ０５０８、Ｆ０５０９の処理による再生信号波形の交流成分におけるピークトゥピーク振幅値に対する交流成分の最大値と最小値の和の割合であり、ターゲットベータはベータ値の目標値である。従って、最適電力校正(ＯＰＣ：Optimum Power Calibration)の動作で記録レーザパワーを調整する際には、メモリ４４に格納されたベータ値をターゲットベータとして調整を実行することができる。またターゲットベータ決定において、ジッタ量対記録レーザパワーの特性を取得した際に、パワーマージンの中心となるパワーを記録レーザパワーに設定して、この記録レーザパワーでのベータ値をターゲットベータとすることもできる。
【０１７１】
このように、以上説明した本実施の形態１によれば、１つの記録ストラテジー(標準初期ストラテジー)を用意して、この標準初期ストラテジーの各マークの前端エッジシフト量Ｔｈまたは後端エッジシフト量Ｔｔを一律に加算または減算した記録ストラテジー(初期ストラテジー)を複数算出して、この初期ストラテジーのうち再生信号品質が優れた記録ストラテジー(調整開始ストラテジー)を選択して、この調整開始ストラテジーで前端エッジシフト量Ｔｈまたは後端エッジシフト量Ｔｔを変化しながら再生信号品質を測定して、最適な記録ストラテジーに調整を実行することによって、効率よく記録ストラテジーを調整することが可能となる。
【０１７２】
［実施の形態２］
《他の光ディスク装置の構成》
図９は、本発明の実施の形態２による光ディスク装置の構成を示す図である。
【０１７３】
図９に示す本発明の実施の形態２による光ディスク装置が図１に示す本発明の実施の形態１による光ディスク装置と相違するのは、インターフェース回路４８を含むことである。その結果、図９に示す光ディスク装置はこのインターフェース回路４８を介して、外部のホストＰＣ５と標準通信方式の通信路Ｓ１０を利用して通信することができる。標準通信方式の通信路Ｓ１０は、例えばＳＡＴＡ(Serial ATA)やＵＳＢ(Universal Serial Bus)やＩＥＥＥ１３９４等である。また図９に示した本発明の実施の形態２による光ディスク装置のその他の構成は、図１に示す本発明の実施の形態１による光ディスク装置と同一である。
【０１７４】
《他の光ディスク装置の記録ストラテジー調整動作》
図９に示す本発明の実施の形態２による光ディスク装置も、図１に示した本発明の実施の形態１による光ディスク装置と同様に図２に示す記録ストラテジー調整動作の動作フローによって最適な記録ストラテジーの選択が可能とされている。
【０１７５】
以下、図９に示す本発明の実施の形態２による光ディスク装置のための図２の動作フローにおいて、図１に示した本発明の実施の形態１による光ディスク装置のための動作と相違する点についてのみ説明することによって、重複する説明を省略するものとする。
【０１７６】
図２のステップＦ０１での調整回数最大値Ｎadjmaxと目標ジッタ値Ｊtargetとの決定の以前では、調整回数最大値Ｎadjmaxと目標ジッタ値Ｊtargetとの初期値はホストＰＣ５のメモリ(図示せず)に格納されている。ステップＦ０１でのこれらの決定時点では、ホストＰＣ５の中央処理ユニット(ＣＰＵ：Central Processing Unit)がメモリ(図示せず)に格納された初期値を読み出し、必要に応じて訂正後に決定値がホストＰＣ５のメモリ(図示せず)に格納される。
【０１７７】
図２のステップＦ０２における複数の初期ストラテジーでの記録では、ホストＰＣ５は複数の初期ストラテジーで記録レーザパワーを変化しながら評価データとしてのランダムデータを光ディスク１に記録するように通信路Ｓ１０を介して光ディスク装置へコマンドデータを送信する。この記録の後に、光ディスク装置からの記録データの再生時の信号品質の評価結果に基づきホストＰＣ５を利用して調整開始ストラテジーを１種類選択する。
【０１７８】
図２のステップＦ０２が終了すると、次に図２のステップＦ０３にて記録ストラテジー最適化(微調整)が実行される。微調整のステップＦ０３では粗調整のステップＦ０２にて選択された調整開始ストラテジーの各マークの前端エッジシフト量Ｔｈもしくは後端エッジシフト量Ｔｔを変化しながら評価データとしてのランダムデータを記録するように通信路Ｓ１０を介して光ディスク装置へコマンドデータを送信する。この記録の後、光ディスク装置からの記録データの再生時の信号品質の評価結果に基づき、ホストＰＣ５を利用して記録ストラテジーの最適化を実行する。
【０１７９】
図２のステップＦ０４でジッタ値Ｊadjが目標ジッタ値Ｊtargetよりも小さいと判定された場合には、次に図２のステップＦ０５でターゲットベータ調整が実行される。ステップＦ０５のターゲットベータ調整では、最適記録ストラテジーで光ディスク１へ評価データとしてのランダムデータを記録するように通信路Ｓ１０を介して光ディスク装置へコマンドデータを送信する。この記録の後に、光ディスク装置からの記録データの再生時の信号品質の評価結果に基づき、ホストＰＣ５を利用して最適記録レーザパワーおよびターゲットベータ値を決定する。このステップＦ０５が終了すると、記録ストラテジー調整を正常終了して、最適記録ストラテジーをメモリ４４に格納するようにホストＰＣ５は通信路Ｓ１０を介して光ディスク装置へコマンドデータを送信する。するとマイコン４３はコマンドデータをインターフェース回路４８を経由して受信するので、最適記録ストラテジーをメモリ４４に記録する。正常終了の後は、ホストＰＣ５からの実記録コマンドの受信に応答して、メモリ４４に記録した最適記録ストラテジーを読み出し所定の記録を実行するものである。
【０１８０】
《他の光ディスク装置の調整開始ストラテジー選択(粗調整)》
図９に示す本発明の実施の形態２による光ディスク装置も、図１に示した本発明の実施の形態１による光ディスク装置と同様に図３に示す調整開始ストラテジー選択(粗調整)の動作フローによって調整開始ストラテジー選択(粗調整)が可能とされている。
【０１８１】
以下、図９に示す本発明の実施の形態２による光ディスク装置のための図３の動作フローにおいて、図１に示した本発明の実施の形態１による光ディスク装置のための動作と相違する点についてのみ説明することによって、重複する説明を省略するものとする。
【０１８２】
図３における調整開始ストラテジー選択(粗調整)の最初のステップＦ０２０１では、まずホストＰＣ５が粗調整カウンタＮevalを“１”にリセットして、粗調整回数最大値Ｎevalmaxを定義する。
【０１８３】
このステップＦ０２０１の処理を終了すると、次のステップＦ０２０２にてホストＰＣ５は自己のメモリ(図示せず)から標準初期ストラテジーの読み出しを実行する。
【０１８４】
ステップＦ０２０２が終了すると、次のステップＦ０２０３にてホストＰＣ５は初期ストラテジー選択を実行することによって、複数の初期ストラテジーを算出して、複数の初期ストラテジーのどの初期ストラテジーで信号品質評価を行うかを選択する。
【０１８５】
初期ストラテジー選択が終了すると、次のステップＦ０２０４にてステップＦ０２０３の初期ストラテジー選択で決定した初期ストラテジーで信号品質評価を実行する。このステップＦ０２０４の信号品質評価においては、記録レーザパワーを変化しながら評価データとしてのランダムデータの記録を実行するようにホストＰＣ５は通信路Ｓ１０を介して光ディスク装置にコマンドを送信する。記録後に信号品質測定を実行するようにホストＰＣ５は通信路Ｓ１０を介して光ディスク装置にコマンドを送信して、光ディスク装置からの信号品質データをベースに所定の評価関数によって評価値を算出する。
【０１８６】
ステップＦ０２０４の信号品質評価が終了すると、次のステップＦ０２０５でホストＰＣ５は粗調整カウンタＮevalと粗調整回数最大値Ｎevalmaxを比較する。ステップＦ０２０５の比較で粗調整カウンタＮevalが粗調整回数最大値Ｎevalmaxよりも大きければ、ステップＦ０２０６にてホストＰＣ５は調整開始ストラテジー選択を実行する。ステップＦ０２０５の比較で粗調整カウンタＮevalが粗調整回数最大値Ｎevalmaxよりも小さければ、ステップＦ０２０７にてホストＰＣ５は粗調整カウンタＮevalを“１”カウントアップした後に先のステップＦ０２０３の初期ストラテジー選択に戻る。
【０１８７】
実施の形態１の場合の図３の動作フローと同様に、本実施の形態２の場合の図３の動作フローにおいても、もしもステップＦ０２０６の調整開始ストラテジー選択の初期ストラテジー全ての評価値が“０”であった場合には、図２の記録ストラテジー調整のステップＦ０２に戻り初期ストラテジーの算出を図３のステップＦ０２０３の初期ストラテジー選択で説明した算出方法と別の方法で行うことができる。それ以外に、評価値が非“０”値となるように目標ジッタ値Ｊtargetを大きな値に変更することによって、初期ストラテジーが得られるようにしてこの初期ストラテジーを調整開始ストラテジーすることもできる。
【０１８８】
また、実施の形態１の場合の図３の動作フローと同様に、本実施の形態２の場合の図３の動作フローでも、ステップＦ０２０６の調整開始ストラテジー選択において、全ての初期ストラテジーでの測定結果について評価値を計算せず、測定結果においてパワーマージンが予め定めたしきい値より大きい初期ストラテジーについてのみ評価値を計算して、最も評価値の大きい初期ストラテジーを調整開始ストラテジーに設定することもできる。測定結果にて最もパワーマージンが大きい数値のＮ％以上である初期ストラテジーについて、評価値を計算することもできる。
【０１８９】
《他の光ディスク装置の信号品質評価》
図１０は、本発明の実施の形態２の場合の図３の調整開始ストラテジー選択(粗調整)のステップＦ０２の動作フローのステップＦ０２０４の信号品質評価を説明する図である。
【０１９０】
従って、図１０に示す本発明の実施の形態２の場合での図３の調整開始ストラテジー選択(粗調整)のステップＦ０２の動作フローのステップＦ０２０４の信号品質評価は、図４に示す本発明の実施の形態１の場合での図３の調整開始ストラテジー選択(粗調整)のステップＦ０２の動作フローのステップＦ０２０４の信号品質評価に対応するものである。
【０１９１】
図１０の最初のステップＦ０２０４２１(図４の最初のステップＦ０２０４０１に対応)では、まずホストＰＣ５は記録回数カウンタＮrecと再生回数カウンタＮplayとをそれぞれ“１”にリセットして、最大記録再生数Ｎrpmaxを定義する。
【０１９２】
図１０の次のステップＦ０２０４２２(図４のステップＦ０２０４０２に対応)にて、ホストＰＣ５は記録レーザパワーを決定して、図１０の更に次のステップＦ０２０４２３ではホストＰＣ５は光ディスク装置に記録コマンドデータ転送を実行する。
【０１９３】
この記録コマンドデータ送信においては、記録レーザパワー、記録データ、記録速度、記録位置、記録サイズおよび記録ストラテジーを指定して、一定線速度(ＣＬＶ：Constant Linear Velocity)モードで記録するように、ホストＰＣ５はコマンドデータを光ディスク装置へ送信する。尚、記録データの指定は、評価データとしてのランダムデータを生成して指定することができる。それ以外に、光ディスク装置が評価データとしてのランダムデータを記録するモードを装備している場合には、この評価データとしてのランダムデータ記録モードを指定することができる。また、記録位置および記録サイズの指定は、記録開始アドレスと記録終了アドレスとの指定によって実行することができる。このような記録ストラテジーは、図３のステップＦ０２０４の信号品質評価の以前のステップＦ０２０３の段階でホストＰＣ５が初期ストラテジーを決定することによって指定されることができる。
【０１９４】
ステップＦ０２０４２３でのホストＰＣ５による記録コマンドデータの送信が完了すると、次のステップＦ０２０４２４にて光ディスク装置のマイコン４３は通信路Ｓ１０およびインターフェース回路４８を介して記録コマンドデータを受信する。
【０１９５】
ステップＦ０２０４２４の記録コマンドデータの受信が完了すると、図１０でのステップＦ０２０４２５(図４のステップＦ０２０４０３に対応)で、記録時モータ回転数制御が実行される。この記録時モータ回転数制御では、スピンドルモータ２の回転数はホストＰＣ５が光ディスク装置に送信した記録コマンドデータで指定した記録速度から設定される。
【０１９６】
ステップＦ０２０４２５でスピンドルモータ２の回転数の所望の回転数への制御が完了すると、図１０のステップＦ０２０４２６(図４のステップＦ０２０４０４に対応)では記録時光ピックアップ位置制御が実行される。この記録時光ピックアップ位置制御で、光ピックアップ３の記録位置はホストＰＣ５が光ディスク装置に送信した記録コマンドデータで指定した記録位置から設定される。
【０１９７】
ステップＦ０２０４２６で所望の位置への光ピックアップ３の移動が完了すると、図１０のステップＦ０２０４２７(図４のステップＦ０２０４０５に対応)で記録データの記録が実行される。この記録では、図３のステップＦ０２０４の信号品質評価の以前のステップＦ０２０３の段階でホストＰＣ５により指定された初期ストラテジーに従ってマイコン４３は光ディスク１に評価データとしてのランダムデータの記録を実行する。
【０１９８】
ステップＦ０２０４２７で記録が完了すると、図１０のステップＦ０２０４２８でマイコン４３は記録が成功したか失敗したかを示す情報を含む返信データをホストＰＣ５にインターフェース回路４８と通信路Ｓ１０とを介して送信する。
【０１９９】
ステップＦ０２０４２８での光ディスク装置による返信データ送信が完了すると、図１０のステップＦ０２０４２９にてホストＰＣ５は返信データを受信する。
【０２００】
ステップＦ０２０４２９でのホストＰＣ５による返信データの受信が完了すると、図１０のステップＦ０２０４３０(図４のステップＦ０２０４０６に対応)にてホストＰＣ５は記録回数カウンタＮrecと最大記録再生数Ｎrpmaxとの比較を実行する。この比較で記録回数カウンタＮrecの値が最大記録再生数Ｎrpmaxよりも大きいと判定された場合には、所定のレーザパワー範囲による記録が終了したので、ホストＰＣ５は次にステップＦ０２０４３２以降で再生を実行する。比較で記録回数カウンタＮrecの値が最大記録再生数Ｎrpmaxよりも小さいと判定された場合には、ステップＦ０２０４３１にてホストＰＣ５は記録回数カウンタＮrecを“１”インクリメントした後、ステップＦ０２０４２２に戻って異なる記録レーザパワーを決定して、さらにステップＦ０２０４２３〜Ｆ０２０４２７で以前に記録した領域とは異なる領域に所定のサイズの記録を行う。
【０２０１】
ステップＦ０２０４３０で記録回数カウンタＮrecが最大記録再生数Ｎrpmaxよりも大きいと判定された場合には、次のステップＦ０２０４３２でホストＰＣ５による光ディスク装置へ信号品質測定コマンドデータ送信が実行される。この信号品質測定コマンドデータ送信では、測定速度および測定位置を指定したコマンドデータが光ディスク装置へ送信される。
【０２０２】
ステップＦ０２０４３２にてホストＰＣ５の信号品質測定コマンドデータの送信が完了すると、次のステップＦ０２０４３３で光ディスク装置のマイコン４３は通信路Ｓ１０とインターフェース回路４８とを介して信号品質測定コマンドデータを受信する。
【０２０３】
ステップＦ０２０４３３にて光ディスク装置による信号品質測定コマンドデータの受信が完了すると、図１０の次のステップＦ０２０４３４(図４のステップＦ０２０４０７に対応)にて再生時モータ回転数制御が実行される。この再生時モータ回転数制御では、スピンドルモータ２の回転数はホストＰＣ５が光ディスク装置に送信した信号品質測定コマンドデータで指定した測定速度から設定される。
【０２０４】
ステップＦ０２０４３４でスピンドルモータ２の回転数の所望の回転数への制御が完了すると、図１０の次のステップＦ０２０４３５(図４のステップＦ０２０４０８に対応)にて再生時光ピックアップ位置制御を実行する。この再生時光ピックアップ位置制御では、光ピックアップ３の再生位置はホストＰＣ５が光ディスク装置に送信した信号品質測定コマンドデータで指定した測定位置から設定される。
【０２０５】
ステップＦ０２０４３５での再生時光ピックアップ位置制御の処理が終了すると、図１０の次のステップＦ０２０４３６(図４のステップＦ０２０４０９に対応)にて光ディスク１を再生することによって信号品質測定を実行する。この信号品質測定では、実施の形態１の図４のステップＦ０２０４０９と同様にマイコン４３は測定結果情報をメモリ４４に格納する。
【０２０６】
ステップＦ０２０４３６での測定結果情報のメモリ４４への格納が完了すると、次のステップＦ０２０４３７でマイコン４３はメモリ４４に格納された測定結果情報を読み出して信号品質データを作成して、インターフェース回路４８および通信路Ｓ１０を介してホストＰＣ５に送信する。
【０２０７】
ステップＦ０２０４３７での光ディスク装置による信号品質データ送信が完了すると、次のステップＦ０２０４３８でホストＰＣ５は信号品質データを受信する。
【０２０８】
ステップＦ０２０４３８での信号品質データの受信が終了すると、図１０の次のステップＦ０２０４３９(図４のステップＦ０２０４１０に対応)でホストＰＣ５によって再生回数カウンタＮplayと最大記録再生数Ｎrpmaxとが比較される。再生回数カウンタＮplayの値が最大記録再生数Ｎrpmaxよりも大きい場合には、次のステップＦ０２０４４１(図４のステップＦ０２０４１１に対応)で評価関数演算を実行する。ステップＦ０２０４３９の比較にて再生回数カウンタＮplayの値が最大記録再生数Ｎrpmaxよりも小さい場合には、ステップＦ０２０４４０(図４のステップＦ０２０４１３に対応)で再生回数カウンタＮplayを“１”インクリメントした後、ステップＦ０２０４３２に戻り、さらにステップＦ０２０４３４、Ｆ０２０４３５、Ｆ０２０４３６(図４のステップＦ０２０４０７、Ｆ０２０４０８、Ｆ０２０４０９に対応)によって以前に記録した領域とは異なる領域の再生を実行することによって信号品質測定を実行する。
【０２０９】
ステップＦ０２０４３９にて再生回数カウンタＮplayが最大記録再生数Ｎrpmaxよりも大きい場合には、図１０のステップＦ０２０４４１(図４のステップＦ０２０４１１に対応)で評価関数演算(Ｆeval＝ＳＵＭ(Ｊtarget−Ｊ(ｋ) ))を実行する。
【０２１０】
《他の光ディスク装置の記録ストラテジー最適化(微調整)》
図１１は、本発明の実施の形態２の場合における図２の記録ストラテジー調整の記録ストラテジー最適化(微調整)のステップＦ０３の動作フローを説明する図である。
【０２１１】
従って、図１１に示した本発明の実施の形態２の場合での図２の記録ストラテジー調整の記録ストラテジー最適化(微調整)は、図５に示した本発明の実施の形態１の場合での図２の記録ストラテジー調整の記録ストラテジー最適化(微調整)に対応するものである。
【０２１２】
図１１に示す記録ストラテジー最適化(微調整)の処理の最初のステップＦ０３２１(図５のステップＦ０３０１に対応)では、ホストＰＣ５は調整対象のマーク長とエッジ(前端エッジまたは後端エッジ)とを決定する。
【０２１３】
次のステップＦ０３２２(図５のステップＦ０３０２に対応)では、ホストＰＣ５はステップＦ０３２１で決定されたマーク長およびエッジについてのエッジシフト量の調整幅を決定する。
【０２１４】
ステップＦ０３２２でエッジシフト量の調整幅を決定した後に、次のステップＦ０３２３(図５のステップＦ０３０３に対応)ではホストＰＣ５はマーク長に関係する前端エッジシフト量または後端エッジシフト量を調整幅の範囲内で決定することによって記録ストラテジーを決定する。
【０２１５】
次のステップＦ０３２４で、ホストＰＣ５は光ディスク装置へ記録コマンドデータ送信を実行する。このステップＦ０３２４での記録コマンドデータ送信は、図１０の信号品質評価でのステップＦ０２０４２３と同様にホストＰＣ５は光ディスク装置に記録コマンドデータ転送を実行する。この際の記録ストラテジーは、ステップＦ０３２３でホストＰＣ５が決定した記録ストラテジーによって指定されたものである。
【０２１６】
ステップＦ０３２４での記録コマンドデータ送信が完了すると、次のステップＦ０３２５では光ディスク装置のマイコン４３は通信路Ｓ１０とンターフェース回路４８とを介して記録コマンドデータを受信する。
【０２１７】
ステップＦ０３２４で記録コマンドデータ送信が完了すると、次のステップＦ０３２５で光ディスク装置のマイコン４３は通信路Ｓ１０とインターフェース回路４８とを介して記録コマンドデータを受信する。
【０２１８】
ステップＦ０３２５で記録コマンドデータの受信が完了すると、次のステップＦ０３２６(図５のステップＦ０３０４に対応)でマイコン４３は記録時モータ回転数制御を実行する。この記録時モータ回転数制御は、図１０の信号品質評価のステップＦ０２０４２５と同様にスピンドルモータ２の回転数はホストＰＣ５が光ディスク装置に送信した記録コマンドデータで指定した記録速度から設定される。
【０２１９】
ステップＦ０３２６で記録時モータ回転数制御が完了すると、次のステップＦ０３２７(図５のステップＦ０３０５に対応)でマイコン４３は記録時光ピックアップ位置制御を実行する。この記録時光ピックアップ位置制御は、図１０の信号品質評価のステップＦ０２０４２６と同様に光ピックアップ３の記録位置はホストＰＣ５が光ディスク装置に送信した記録コマンドデータで指定した記録位置から設定される。
【０２２０】
ステップＦ０３２７で記録時光ピックアップ位置制御が完了すると、次のステップＦ０３２８(図５のステップＦ０３０６に対応)でマイコン４３はステップＦ０３２３でホストＰＣ５が決定した記録ストラテジーで光ディスク１に記録コマンドデータで指定された記録データの記録を実行する。この記録は、図１０の信号品質評価のステップＦ０２０４２７と同様に、ホストＰＣ５により指定された記録ストラテジーに従ってマイコン４３は光ディスク１に評価データとしてのランダムデータの記録を実行する。
【０２２１】
ステップＦ０３２８で記録が完了すると、次のステップＦ０３２９でマイコン４３は返信データ送信を実行する。返信データの送信は、図１０の信号品質評価のステップＦ０２０４２８と同様にマイコン４３は返信データをホストＰＣ５にインターフェース回路４８と通信路Ｓ１０とを介して送信する。
【０２２２】
ステップＦ０３２９での光ディスク装置による返信データ送信が完了すると、次のステップＦ０３３０でホストＰＣ５は返信データを受信する。返信データの受信は、図１０の信号品質評価のステップＦ０２０４２９と同様にホストＰＣ５は返信データを受信する。
【０２２３】
ステップＦ０３３０でホストＰＣ５による返信データの受信が完了すると、次のステップＦ０３３１(図５のステップＦ０３０７に対応)にてステップＦ０３２２で決定した調整幅に関して全ての記録が完了したか否かの判定が実行される。調整幅に関して全ての記録が完了したと判定された場合、次のステップＦ０３３２以降にて再生が実行される。調整幅に関して全ての記録が完了していないと判定された場合、ステップＦ０３２３に戻り、所定のサイズで以前に記録した領域とは異なる領域に異なる記録ストラテジーで記録を実行するように記録コマンドデータを生成して、光ディスク装置に送信する。
【０２２４】
ステップＦ０３３１で調整幅に関して全ての記録が完了したと判定された場合、次のステップＦ０３３２にてホストＰＣ５は信号品質測定コマンドデータ送信を実行する。この信号品質測定コマンドデータ送信においては、図１０の信号品質評価のステップＦ０２０４３２と同様にホストＰＣ５による光ディスク装置へ信号品質測定コマンドデータ送信が実行される。この信号品質測定コマンドデータ送信で、測定速度および測定位置を指定したコマンドデータが光ディスク装置へ送信される。
【０２２５】
ステップＦ０３３２でホストＰＣ５による信号品質測定コマンドデータの送信が完了すると、次のステップＦ０３３３で光ディスク装置のマイコン４３は信号品質測定コマンドデータの受信を実行する。この信号品質測定コマンドデータ受信は、図１０の信号品質評価のステップＦ０２０４３３と同様に光ディスク装置のマイコン４３は通信路Ｓ１０とインターフェース回路４８とを介して信号品質測定コマンドデータを受信する。
【０２２６】
ステップＦ０３３３にてマイコン４３による信号品質測定コマンドデータの受信が完了すると、次のステップＦ０３３４(図５のステップＦ０３０８に対応)ではマイコン４３は再生時モータ回転数制御を実行する。この再生時モータ回転数制御では、図１０の信号品質評価のステップＦ０２０４３４と同様に、スピンドルモータ２の回転数がホストＰＣ５から光ディスク装置に送信された信号品質測定コマンドデータにより指定された測定速度から設定される。
【０２２７】
ステップＦ０３３４の再生時モータ回転数制御の受信が完了すると、次のステップＦ０３３５(図５のステップＦ０３０９に対応)で再生時光ピックアップ位置制御が実行される。この再生時光ピックアップ位置制御は、図１０の信号品質評価のステップＦ０２０４３５と同様に、光ピックアップ３の再生位置はホストＰＣ５が光ディスク装置に送信した信号品質測定コマンドデータで指定した測定位置から設定される。
【０２２８】
ステップＦ０３３５で再生時光ピックアップ位置制御が完了すると、次のステップＦ０３３６(図５のステップＦ０３１０に対応)にて光ディスク１を再生して、信号品質測定が実行される。この信号品質測定は図１０の信号品質評価のステップＦ０２０４３６と同様に、マイコン４３は測定結果情報をメモリ４４に格納する。
【０２２９】
ステップＦ０３３６で信号品質測定が完了すると、次のステップＦ０３３７にてマイコン４３は信号品質データ送信を実行する。この信号品質データの送信は、図１０の信号品質評価のステップＦ０２０４３７と同様に、マイコン４３はメモリ４４に格納された測定結果情報を読み出して信号品質データを作成してインターフェース回路４８および通信路Ｓ１０を介してホストＰＣ５に送信する。
【０２３０】
ステップＦ０３３７で光ディスク装置による信号品質データ送信が完了すると、次のステップＦ０３３８でホストＰＣ５は信号品質データを受信する。この信号品質データの受信は、図１０の信号品質評価のステップＦ０２０４３８と同様に、ホストＰＣ５は信号品質データを受信する。
【０２３１】
ステップＦ０３３８での信号品質データの受信が完了すると、次のステップＦ０３３９(図５のステップＦ０３１１に対応)で記録ストラテジーを変化してステップＦ０３２８で記録した記録箇所について、調整幅に関して全ての箇所での信号品質測定が完了したか否かが判定される。調整幅に関して全ての箇所で信号品質測定が完了したと判定された場合、信号品質測定が終了したので、次のステップＦ０３４０(図５のステップＦ０３１２に対応)でエッジシフト量の決定が実行される。調整幅に関して全ての箇所で信号品質測定が完了していないと判定された場合には、ステップＦ０３３２に戻り、さらに以前に測定した領域と異なる領域の再生を実行するようにホストＰＣ５は信号品質測定コマンドデータを光ディスク装置に送信する。
【０２３２】
ステップＦ０３４０のエッジシフト量の決定では、調整幅についての各測定結果情報から、約最小値となるエッジシフト値を最適記録ストラテジーにおけるその調整マーク長／エッジのエッジシフト量として決定する。また、エッジシフト量の決定では、ジッタ量対エッジシフト量の特性が取得されて、その特性を近似した近似曲線で最小値を持ったエッジシフト量をそのマーク長およびエッジの最適記録ストラテジーと決定することもできる。
【０２３３】
ステップＦ０３４０のエッジシフト量決定の処理が終了すると、次のステップＦ０３４１で全てのマーク長およびエッジについて調整が完了したか否かが判定される。このステップＦ０３４１にて全てのマーク長およびエッジについて調整が完了したと判定されると、その時点での記録ストラテジーを最適記録ストラテジーとして図１１の記録ストラテジー最適化(微調整)の処理を終了する。そうでなければ、調整していないマーク長およびエッジについて調整を行うためにステップＦ０３２１以降の処理に戻って、同様の微調整を実行する。
【０２３４】
《他の光ディスク装置のターゲットベータ調整》
図１２は、本発明の実施の形態２の場合における図２の記録ストラテジー調整のターゲットベータ調整のステップＦ０５の動作フローを説明する図である。
【０２３５】
従って、図１２に示した本発明の実施の形態２の場合の図２の記録ストラテジー調整のターゲットベータ調整は、図６に示した本発明の実施の形態１の場合の図２の記録ストラテジー調整のターゲットベータ調整に対応するものである。
【０２３６】
図１２のターゲットベータ調整の最初のステップＦ０５２１(図６のステップＦ５０１に対応)においては、ホストＰＣ５はまず記録回数カウンタＮbetarecと再生回数カウンタＮbetaplayとをそれぞれ“１”にリセットして、最大記録再生数Ｎbetarpmaxを定義する。
【０２３７】
次のステップＦ０５２２(図６のステップＦ５０２に対応)では、ホストＰＣ５は記録レーザパワー決定を実行する。
【０２３８】
次のステップＦ０５２３では、ホストＰＣ５は光ディスク装置への記録コマンドデータ送信を実行する。この記録コマンドデータ送信は、図１０の信号品質評価のステップＦ０２０４２３と同様にホストＰＣ５は光ディスク装置に記録コマンドデータ転送を実行するが、記録ストラテジーは図２の記録ストラテジー調整のステップＦ０３の記憶ストラテジー最適化(微調整)で求めた最適記録ストラテジーを使用する。
【０２３９】
ステップＦ０５２３のホストＰＣ５による記録コマンドデータの送信が完了すると、次のステップＦ０５２４で光ディスク装置のマイコン４３は通信路Ｓ１０とインターフェース回路４８とを介して記録コマンドデータを受信する。
【０２４０】
ステップＦ０５２４の記録コマンドデータの受信が完了すると、次のステップＦ０５２５(図６のステップＦ５０３に対応)でマイコン４３は記録時モータ回転数制御を実行する。
【０２４１】
ステップＦ０５２５での記録時モータ回転数制御が完了すると、次のステップＦ０５２６(図６のステップＦ５０４に対応)でマイコン４３は記録時光ピックアップ位置制御を実行する。
【０２４２】
ステップＦ０５２６で記録時光ピックアップ位置制御が完了すると、次のステップＦ０５２７(図６のステップＦ５０５に対応)で記録を実行する。
【０２４３】
ステップＦ０５２７での記録が完了すると、次のステップＦ０５２８でマイコン４３はインターフェース回路４８と通信路Ｓ１０とを介して返信データをホストＰＣ５に送信する。
【０２４４】
ステップＦ０５２８での光ディスク装置による返信データ送信が完了すると、次のステップＦ０５２９でホストＰＣ５は返信データを受信する。
【０２４５】
ステップＦ０５２９でのホストＰＣ５による返信データの受信が完了すると、次のステップＦ０５３０(図６のステップＦ５０６に対応)で記録回数カウンタＮbetarecと最大記録再生数Ｎbetarpmaxの比較が実行される。この比較で記録回数カウンタＮbetarecが最大記録再生数Ｎbetarpmaxよりも大きいと判定された場合には、所定のレーザパワー範囲での記録が終了したので、ステップＦ０５３２で信号品質測定コマンドデータ送信を実行する。しかしこの比較で記録回数カウンタＮbetarecが最大記録再生数Ｎbetarpmaxよりも小さいと判定された場合には、ステップＦ０５３１にて記録回数カウンタＮbetarecが“１”インクリメントされて、ステップＦ０５２２に戻って記録レーザパワーが決定され、所定のサイズで以前に記録した領域とは異なる領域への記録が実行される。
【０２４６】
ステップＦ０５３０での比較で記録回数カウンタＮbetarecが最大記録再生数Ｎbetarpmaxよりも大きいと判定された場合には、次のステップＦ０５３２でホストＰＣ５は信号品質測定コマンドデータ送信を実行する。ステップＦ０５３２の信号品質測定コマンドデータ送信は、図１０の信号品質評価のステップＦ０２０４３２と同様に、測定速度および測定位置を指定したコマンドデータが光ディスク装置へ送信される。
【０２４７】
ステップＦ０５３２でのホストＰＣ５による信号品質測定コマンドデータの送信が完了すると、次のステップＦ０５３３にて光ディスク装置のマイコン４３は通信路Ｓ１０とインターフェース回路４８とを介して信号品質測定コマンドデータを受信する。
【０２４８】
ステップＦ０５３３でのマイコン４３による信号品質測定コマンドデータの受信が完了すると、次のステップＦ０５３４(図６のステップＦ５０７に対応)にて再生時モータ回転数制御が実行される。
【０２４９】
ステップＦ０５３４でスピンドルモータ２の回転数の所望の回転数への制御が完了すると、次のステップＦ０５３５(図６のステップＦ５０８に対応)にて再生時光ピックアップ位置制御が実行される。
【０２５０】
ステップＦ０５３５の再生時光ピックアップ位置制御が完了すると、次のステップＦ０５３６(図６のステップＦ５０９に対応)にて光ディスク１を再生して、信号品質測定が実行される。
【０２５１】
ステップＦ０５３６の信号品質測定が完了すると、次のステップＦ０５３７にてマイコン４３は信号品質データ送信を実行する。この信号品質データの送信では、図１０の信号品質評価のステップＦ０２０４３７と同様に、マイコン４３は信号品質データをインターフェース回路４８と通信路Ｓ１０を介してホストＰＣ５に送信するものである。
【０２５２】
ステップＦ０５３７での光ディスク装置による信号品質データ送信が完了すると、次のステップＦ０５３８でホストＰＣ５は信号品質データを受信する。
【０２５３】
ステップＦ０５３８の信号品質データの受信が完了すると、次のステップＦ０５３９(図６のステップＦ５１０に対応)でホストＰＣ５は再生回数カウンタＮbetaplayと最大記録再生数Ｎbetarpmaxとを比較する。この比較によって再生回数カウンタＮbetaplayが最大記録再生数Ｎbetarpmaxよりも大きいと判定された場合には、信号品質測定が終了したので、次のステップＦ０５４１にてホストＰＣ５はターゲットベータを決定する。比較で再生回数カウンタＮbetaplayが最大記録再生数Ｎbetarpmaxより小さいと判定された場合には、ステップＦ０５４０で再生回数カウンタＮbetaplayが“１”インクリメントされた後、ステップＦ０５３２に戻って以前に測定した領域とは異なる領域の再生が実行され、信号品質測定が実行される。
【０２５４】
ステップＦ０５３９での比較で再生回数カウンタＮbetaplayが最大記録再生数Ｎbetarpmaxよりも大きいと判定された場合には、ステップＦ０５４１(図６のステップＦ０５１１に対応)にてホストＰＣ５はターゲットベータを決定する。
【０２５５】
このように以上説明した本実施の形態２によれば、実施の形態１と同様に、１つの記録ストラテジー(標準初期ストラテジー)を用意して、この標準初期ストラテジーの各マークの前端エッジシフト量Ｔｈまたは後端エッジシフト量Ｔｔを一律に加算または減算した記録ストラテジー(初期ストラテジー)を複数算出して、この初期ストラテジーのうち再生信号品質が優れた記録ストラテジー(調整開始ストラテジー)を選択して、この調整開始ストラテジーで前端エッジシフト量Ｔｈまたは後端エッジシフト量Ｔｔを変化しながら再生信号品質を測定して、最適な記録ストラテジーに調整を実行することによって、効率よく記録ストラテジーを調整することが可能となる。
【０２５６】
［実施の形態３］
図１４は、本発明の実施の形態１による図１の光ディスク装置もしくは本発明の実施の形態２による図９の光ディスク装置において本発明の実施の形態３の記録ストラテジー調整を行う場合の動作フローを示す図である。
【０２５７】
本発明の実施の形態３による図１４に示した記録ストラテジー調整の動作フローが本発明の実施の形態１および本発明の実施の形態２による図２に示す動作フローと相違する点は、図１４の動作フローでは図２の動作フローに含まれていたステップＦ０３の記録ストラテジー最適化(微調整)の処理とステップＦ０８の再調整判定の処理とが省略されている点である。
【０２５８】
つまり、図１４の動作フローでは、ステップＦ０２の調整開始ストラテジー選択(粗調整)で選択した初期ストラテジーでの信号品質Ｊadjが目標ジッタ値Ｊtargetよりも小さな値となった場合には、この初期ストラテジーを最適記録ストラテジーとして記録ストラテジー調整を終了するものである。一方、ジッタ値Ｊadjが目標ジッタ値Ｊtargetよりも大きい場合には、ステップＦ０６で調整回数の比較を行って調整回数Ｎadjが調整回数最大値Ｎadjmax未満である場合には、ステップＦ０７で調整回数Ｎadjを“１”カウントアップした後、再粗調整を行うためにステップＦ０２の調整開始ストラテジー選択(粗調整)に戻るものとする。
【０２５９】
このように、以上説明した本実施の形態３によれば、１つの記録ストラテジー(標準初期ストラテジー)を用意して、この標準初期ストラテジーの各マークの前端エッジシフト量Ｔｈまたは後端エッジシフト量Ｔｔを一律に加算または減算した記録ストラテジー(初期ストラテジー)を複数算出して、この初期ストラテジーのうち再生信号品質が優れた記録ストラテジー(調整開始ストラテジー)を選択して、この調整開始ストラテジーそれ自体を最適記録ストラテジーとすることで、効率よく、記録ストラテジーを調整することが可能となる。
【０２６０】
［実施の形態４］
図１５は、本発明の実施の形態１による図１の光ディスク装置もしくは本発明の実施の形態２による図９の光ディスク装置において本発明の実施の形態４の記録ストラテジー調整を行う場合の動作フローを示す図である。
【０２６１】
本発明の実施の形態４による図１５に示した記録ストラテジー調整の動作フローが本発明の実施の形態１および本発明の実施の形態２による図２に示す動作フローと相違する点は、図１５の動作フローでは図２の動作フローに含まれていたステップＦ０５のターゲットベータ調整の処理が省略されている点である。
【０２６２】
つまり、図１５の動作フローでは、ステップＦ０４の比較でジッタ値Ｊadjが目標ジッタ値Ｊtargetより小さいと判定されて最適記録ストラテジーが取得されると、その前のステップＦ０３にて記録ストラテジー最適化の処理にて記録を実行した際の記録レーザパワーをそのまま実記録レーザパワーとして使用することによって、実記録レーザパワーでのベータ値をターゲットベータとして使用するものである。
【０２６３】
このように、以上説明した本実施の形態４によれば、１つの記録ストラテジー(標準初期ストラテジー)を用意して、この標準初期ストラテジーの各マークの前端エッジシフト量Ｔｈまたは後端エッジシフト量Ｔｔを一律に加算または減算した記録ストラテジー(初期ストラテジー)を複数算出して、この初期ストラテジーのうち再生信号品質が優れた記録ストラテジー(調整開始ストラテジー)を選択して、この調整開始ストラテジーで前端エッジシフト量Ｔｈまたは後端エッジシフト量Ｔｔを変化しながら再生信号品質を測定して、最適な記録ストラテジーに調整を実行することによって、効率よく記録ストラテジーを調整することが可能となる。
【０２６４】
［実施の形態５］
図１６は、本発明の実施の形態１による図１の光ディスク装置もしくは本発明の実施の形態２による図９の光ディスク装置において本発明の実施の形態５の記録ストラテジー調整を行う場合の動作フローを示す図である。
【０２６５】
本発明の実施の形態５による図１６に示した記録ストラテジー調整の動作フローが本発明の実施の形態３による図１４に示した動作フローと相違する点は、図１６の動作フローでは図１４の動作フローに含まれていたステップＦ０５のターゲットベータ調整の処理が省略されている点である。
【０２６６】
このように、以上説明した本実施の形態５によれば、１つの記録ストラテジー(標準初期ストラテジー)を用意して、この標準初期ストラテジーの各マークの前端エッジシフト量Ｔｈまたは後端エッジシフト量Ｔｔを一律に加算または減算した記録ストラテジー(初期ストラテジー)を複数算出して、この初期ストラテジーのうち再生信号品質が優れた記録ストラテジー(調整開始ストラテジー)を選択して、この調整開始ストラテジーそれ自体を最適記録ストラテジーとすることで、効率よく記録ストラテジーを調整することが可能となる。
【０２６７】
以上、本発明者によってなされた発明を種々の実施の形態に基づいて具体的に説明したが、本発明はそれに限定されるものではなく、その要旨を逸脱しない範囲において種々変更可能であることは言うまでもない。
【０２６８】
例えば、実施の形態１で、ＡＦＥ４１、信号品質測定回路４２、マイコン４３、メモリ４４、位置制御回路４５、レーザパルス制御回路４６、モータ制御回路４７等は信号処理ＬＳＩ４に内蔵する構成とした。しかし、本発明はこの構成に限定されるものではなく、これらの一部を信号処理ＬＳＩ４と別個に形成する構成とすることも可能である。
【０２６９】
更に実施の形態１では、マイコン４３はソフトウェア制御によってデータ処理や各種の指示を実行するものであるが、それらの少なくとも一部をハードウェア制御によって実行することもできる。
【０２７０】
また、実施の形態１では標準初期ストラテジーが予めメモリ４４に格納保持されているが、光ディスク１のディスク管理情報に記録される推奨ストラテジーを標準初期ストラテジーすることもできる。
【０２７１】
また更に、実施の形態１では、粗調整および微調整における信号品質指標としてジッタ量を使用したものである。しかし、本発明はそれに限定されるものではなく、信号品質指標としてエラーレートやシフト値を使用することもでき、再生信号品質を示す指標、エッジのシフト量を示す指標を使用することができる。また、シフト値の場合には、絶対値が“０”に近いシフト値は信号品質が良いので、評価関数等を適宜変更することによって同様の効果を得ることもできる。
【０２７２】
また、実施の形態１では、光ディスク１に記録するデータを評価データとしてのランダムデータとしたが、本発明はこれに限定されるものではなく、マーク長とスペース長との全ての組み合わせが記録可能なデータパターンを使用することができる。
【０２７３】
また、実施の形態１ではステップＦ０８の再調整判定を実行して再粗調整を実行するか再微調整を実行するかを決定するとしたが、どちらか一方の調整だけを実行することもできる。
【０２７４】
また、実施の形態１では、調整回数ＮadjはステップＦ０１の処理で“１”にリセットして、ステップＦ０７の処理で“１”カウントアップして、ステップＦ０６の処理で調整回数Ｎadjと調整回数Ｎadjmaxとを比較するものである。しかし、本発明はこれに限定されるものではなく、ステップＦ０１の処理にて調整回数Ｎadjを調整回数最大値Ｎadjmaxにリセットして、ステップＦ０７の処理で“１”カウントダウンして、ステップＦ０６の処理で調整回数Ｎadjと“１”とを比較して、調整回数Ｎadjが“１”となったら記録ストラテジー調整を異常終了して、調整回数カウンタＮadjが“２”以上であればステップＦ０７で“１”カウントダウンすることもでき、調整回数を有限な回数に制限する手段等を使用することができる。
【０２７５】
また、実施の形態１では、粗調整カウンタＮevalはステップＦ０２０１の処理で“１”にリセットして、ステップＦ０２０７の処理で“１”カウントアップして、ステップＦ０２０５の処理で粗調整カウンタＮevalと粗調整回数最大値Ｎevalmaxとを比較するものである。しかし、本発明はこれに限定されるものではなく、ステップＦ０２０１の処理にて粗調整カウンタＮevalを粗調整回数最大値Ｎevalmaxにリセットして、ステップＦ０２０７の処理で“１”カウントダウンして、ステップＦ０２０５の処理で粗調整カウンタＮevalと“１”とを比較して、粗調整カウンタＮevalが“１”となったらステップＦ０２０６の処理で調整開始ストラテジー選択を実行して、Ｎevalが“２”以上であればステップＦ０２０７の処理にて“１”カウントダウンすることもでき、調整回数を有限な回数に制限する手段等を使用することができる。
【０２７６】
また実施の形態１では、記録回数カウンタＮrecはステップＦ０２０４０１の処理で“１”にリセットして、ステップＦ０２０４１２の処理で“１”カウントアップして、ステップＦ０２０４０６の処理で記録回数カウンタＮrecと最大記録再生数Ｎrpmaxを比較するものである。しかし、本発明はこれに限定されるものではなく、ステップＦ０２０４０１の処理で記録回数カウンタＮrecを最大記録再生数Ｎrpmaxにリセットして、ステップＦ０２０４１２の処理で“１”カウントダウンして、ステップＦ０２０４０６の処理で記録回数カウンタＮrecと“１”を比較して、記録回数カウンタＮrecが“１”となったら次のステップＦ０２０４０７の処理に移行して、記録回数カウンタＮrecが“２”以上ならばステップＦ０２０４１２の処理で“１”カウントダウンすることもでき、記録回数を有限な回数に制限する手段等を使用することができる。
【０２７７】
また更に実施の形態１では、再生回数カウンタＮplayはステップＦ０２０４０１の処理で“１”にリセットして、ステップＦ０２０４１３の処理で“１”カウントアップして、ステップＦ０２０４１０の処理で再生回数カウンタＮplayと最大記録再生数Ｎrpmaxとを比較するものである。しかし、本発明はこれに限定されるものではなく、ステップＦ０２０４０１で再生回数カウンタＮplayを最大記録再生数Ｎrpmaxにリセットし、ステップＦ０２０４１３の処理で“１”カウントダウンし、ステップＦ０２０４１０の処理で再生回数カウンタＮplayと“１”を比較して、再生回数カウンタＮplayが“１”となったら次のステップＦ０２０４１１の処理に移行して、再生回数カウンタＮplayが“２”以上であればステップＦ０２０４１３の処理で“１”カウントダウンすることもでき、再生回数を有限な回数に制限する手段等を使用することができる。
【０２７８】
実施の形態１の再粗調整における図３のステップＦ０２の処理では、ステップＦ０２０３の処理で複数の初期ストラテジーを算出する際、あるマークについてのみ前端エッジシフト量Ｔｈまたは後端エッジシフト量Ｔｔを一定量(負数の場合を含む)だけ標準初期ストラテジーに加算した初期ストラテジーを算出して、それらの初期ストラテジーについてステップＦ０２０４〜ステップＦ０２０７の処理を実行して、そのマークで最も信号品質の良い初期ストラテジーのシフト量Ｔｈ、Ｔｔを取得して、他のマークについても同様に最も信号品質の良い初期ストラテジーのシフト量Ｔｈ、Ｔｔを取得することができる。その場合には、そのマークについては、信号品質の良い初期ストラテジーのシフト量Ｔｈ、Ｔｔの値を使用して調整を行う一方、先立って求めたマークについては後に他のマークを調整する時には求めたシフト量Ｔｈ、Ｔｔの値を使用して調整を行うものである。
【０２７９】
また実施の形態２で、ＡＦＥ４１、信号品質測定回路４２、マイコン４３、メモリ４４、位置制御回路４５、レーザパルス制御回路４６、モータ制御回路４７、インターフェース回路４８は信号処理ＬＳＩ４に内蔵する構成とした。しかし、本発明はこの構成に限定されるものではなく、これらの一部を信号処理ＬＳＩ４と別個に形成する構成とすることも可能である。
【０２８０】
更に実施の形態２では、マイコン４３はソフトウェア制御によってデータ処理や各種の指示を実行するものであるが、それらの少なくとも一部をハードウェア制御によって実行することもできる。
【０２８１】
また、実施の形態２では標準初期ストラテジーが予めホストＰＣ５のメモリに格納保持されているが、光ディスク１のディスク管理情報に記録される推奨ストラテジーを標準初期ストラテジーすることもできる。
【０２８２】
また更に、実施の形態２では、粗調整および微調整における信号品質指標としてジッタ量を使用したものである。しかし、本発明はそれに限定されるものではなく、信号品質指標としてエラーレートやシフト値を使用することもでき、再生信号品質を示す指標、エッジのシフト量を示す指標を使用することができる。また、シフト値の場合には、絶対値が“０”に近いシフト値は信号品質が良いので、評価関数等を適宜変更することによって同様の効果を得ることもできる。
【０２８３】
また、実施の形態２では、光ディスク１に記録するデータを評価データとしてのランダムデータとしたが、本発明はこれに限定されるものではなく、マーク長とスペース長との全ての組み合わせが記録可能なデータパターンを使用することができる。
【０２８４】
また、実施の形態２ではステップＦ０８の再調整判定を実行して再粗調整を実行するか再微調整を実行するかを決定するとしたが、どちらか一方の調整だけを実行することもできる。
【０２８５】
また、実施の形態２では、調整回数ＮadjはステップＦ０１の処理で“１”にリセットして、ステップＦ０７の処理で“１”カウントアップして、ステップＦ０６の処理で調整回数Ｎadjと調整回数Ｎadjmaxとを比較するものである。しかし、本発明はこれに限定されるものではなく、ステップＦ０１の処理にて調整回数Ｎadjを調整回数最大値Ｎadjmaxにリセットして、ステップＦ０７の処理で“１”カウントダウンして、ステップＦ０６の処理で調整回数Ｎadjと“１”とを比較して、調整回数Ｎadjが“１”となったら記録ストラテジー調整を異常終了して、調整回数カウンタＮadjが“２”以上であればステップＦ０７で“１”カウントダウンすることもでき、調整回数を有限な回数に制限する手段等を使用することができる。
【０２８６】
また、実施の形態２では、粗調整カウンタＮevalはステップＦ０２０１の処理で“１”にリセットして、ステップＦ０２０７の処理で“１”カウントアップして、ステップＦ０２０５の処理で粗調整カウンタＮevalと粗調整回数最大値Ｎevalmaxとを比較するものである。しかし、本発明はこれに限定されるものではなく、ステップＦ０２０１の処理にて粗調整カウンタＮevalを粗調整回数最大値Ｎevalmaxにリセットして、ステップＦ０２０７の処理で“１”カウントダウンして、ステップＦ０２０５の処理で粗調整カウンタＮevalと“１”とを比較して、粗調整カウンタＮevalが“１”となったらステップＦ０２０６の処理で調整開始ストラテジー選択を実行して、Ｎevalが“２”以上であればステップＦ０２０７の処理にて“１”カウントダウンすることもでき、調整回数を有限な回数に制限する手段等を使用することができる。
【０２８７】
また実施の形態２では、記録回数カウンタＮrecはステップＦ０２０４２１の処理で“１”にリセットして、ステップＦ０２０４３１の処理で“１”カウントアップして、ステップＦ０２０４３０の処理で記録回数カウンタＮrecと最大記録再生数Ｎrpmaxを比較するものである。しかし、本発明はこれに限定されるものではなく、ステップＦ０２０４２１の処理で記録回数カウンタＮrecを最大記録再生数Ｎrpmaxにリセットして、ステップＦ０２０４３１の処理で“１”カウントダウンして、ステップＦ０２０４３０の処理で記録回数カウンタＮrecと“１”を比較して、記録回数カウンタＮrecが“１”となったら次のステップＦ０２０４３２の処理に移行して、記録回数カウンタＮrecが“２”以上ならばステップＦ０２０４３１の処理で“１”カウントダウンすることもでき、記録回数を有限な回数に制限する手段等を使用できる。
【０２８８】
実施の形態２では、ホストＰＣ５の処理動作フローはホストＰＣ５が動作するソフトウェアの動作フローとした。しかし、本発明はこのソフトウェアによる動作制御に限定されるものではなく、一部または全ての処理動作をハードウェアによって制御することも可能である。
【０２８９】
実施の形態２の再粗調整における図３のステップＦ０２の処理では、ステップＦ０２０３の処理で複数の初期ストラテジーを算出する際、あるマークについてのみ前端エッジシフト量Ｔｈまたは後端エッジシフト量Ｔｔを一定量(負数の場合を含む)だけ標準初期ストラテジーに加算した初期ストラテジーを算出して、それらの初期ストラテジーについてステップＦ０２０４〜ステップＦ０２０７の処理を実行して、そのマークで最も信号品質の良い初期ストラテジーのシフト量Ｔｈ、Ｔｔを取得して、他のマークについても同様に最も信号品質の良い初期ストラテジーのシフト量Ｔｈ、Ｔｔを取得することができる。その場合には、そのマークについては、信号品質の良い初期ストラテジーのシフト量Ｔｈ、Ｔｔの値を使用して調整を行う一方、先立って求めたマークについては後に他のマークを調整する時には求めたシフト量Ｔｈ、Ｔｔの値を使用して調整を行うものである。
【符号の説明】
【０２９０】
１…光ディスク
２…スピンドルモータ
３…光ピックアップ
４…信号処理ＬＳＩ
４１…ＡＦＥ
４２…信号品質測定回路
４３…マイコン
４４…メモリ
４５…位置制御回路
４６…レーザパルス制御回路
４７…モータ制御回路
４８…インターフェース回路
５…ホストＰＣ
Ｓ０１…モータ制御信号
Ｓ０２…位置制御信号
Ｓ０３…レーサパルス制御信号
Ｓ０４…電気信号
Ｓ０５…アナログ信号
Ｓ０６…測定結果情報
Ｓ０７…位置制御指示
Ｓ０８…レーザパルス制御指示
Ｓ０９…モータ制御指示
Ｓ１０…通信路
【図１】
2010282695.tif 000003
【図２】
2010282695.tif 000004
【図３】
2010282695.tif 000005
【図４】
2010282695.tif 000006
【図５】
2010282695.tif 000007
【図６】
2010282695.tif 000008
【図７】
2010282695.tif 000009
【図８】
2010282695.tif 000010
【図９】
2010282695.tif 000011
【図１０】
2010282695.tif 000012
【図１１】
2010282695.tif 000013
【図１２】
2010282695.tif 000014
【図１３】
2010282695.tif 000015
【図１４】
2010282695.tif 000016
【図１５】
2010282695.tif 000017
【図１６】
2010282695.tif 000018